(57)【要約】【課題】下側貯留部の貯留領域から上側貯留部の貯留領域へ円滑に遊技球を移動させることができる遊技機を提供する。【解決手段】操作部３０が上皿１５１の前面側に設けられているので、操作部３０を操作する遊技者の一方の手は上皿１５１の前面側で動くことになる。他方、下皿７１の外側領域７１ｂは、上皿１５１を平面視した状態で、上皿１５１の周壁部１６２及び操作部３０よりも外側に位置するので、遊技者が下皿７１の外側領域７１ｂに貯留された遊技球を他方の手で掴み、当該他方の手を上皿１５１の貯留領域１５１ａに移動させる際に、下皿７１の外側領域７１ｂが上皿１５１の周壁部１６２及び操作部３０よりも外側に離れている分だけ、上皿１５１の前面側で動く遊技者の一方の手と干渉し難くなり、下皿７１の外側領域７１ｂから上皿１５１の貯留領域１５１ａへ円滑に遊技球を移動可能となる。【選択図】図１
2014121464.tif 000002
【特許請求の範囲】
【請求項１】
払い出された遊技球を貯留可能な貯留領域を有する上側貯留部と、
前記上側貯留部よりも下側に設けられ、払い出された遊技球を貯留可能な貯留領域を有する下側貯留部と、を遊技機本体の前面側に備える遊技機において、
前記下側貯留部の貯留領域は、前記上側貯留部を平面視した状態で、前記上側貯留部の周壁部よりも外側に位置する外側領域を有する
ことを特徴とする遊技機。
【発明の詳細な説明】
【技術分野】
【０００１】
この発明は、遊技機に係り、特に、上側貯留部と下側貯留部とを備える遊技機に関する。
【背景技術】
【０００２】
従来、この種の遊技機として、例えば、パチンコ機や、パチンコ機で使用される遊技球を用いてスロットマシンに似通った遊技を行うことができる遊技球使用回胴遊技機などの遊技機がある（例えば、特許文献１参照）。この種の遊技機は、払い出された遊技球を貯留可能な貯留領域を有する上側貯留部と、上側貯留部よりも下側に設けられ、払い出された遊技球を貯留可能な貯留領域を有する下側貯留部と、を遊技機本体部の前面側に備えている。上側貯留部は、遊技機が設置される島設備から貸し出された遊技球や、遊技機から賞品球などとして払い出された遊技球を貯留する。また、上側貯留部は、その貯留領域に貯留される遊技球が一定量を超えた場合に、一定量を超えた分の遊技球を余剰球として下側貯留部に向けて払い出すように構成されている。
【先行技術文献】
【特許文献】
【０００３】
【特許文献１】特開２００７−６８８４１号公報（第１３，１５及び１６頁、図１，２）
【発明の概要】
【発明が解決しようとする課題】
【０００４】
しかしながら、このような構成を有する従来例の場合には、次のような問題がある。
すなわち、従来の遊技機は、上側貯留部の下側に下側貯留部が設けられ、上側貯留部の貯留領域と下側貯留部の貯留領域とは上下で重なるように設けられているものがある。遊技者は、遊技中に、下側貯留部の貯留領域に貯留された遊技球を手で掴んで、上側貯留部の貯留領域に移動させることがある。このような場合に、遊技球を掴んだ手が上側貯留部の貯留領域に到達する前に、誤って上側貯留部の周壁部の周辺に接触することがある。
【０００５】
また、遊技球使用回胴遊技機の場合は、賭け数指示や遊技の開始及び停止の指示など遊技の価値に作用する操作が上側貯留部の周壁部の周辺で行われるので、これらの操作を行う手と上述の遊技球を掴んだ手とが接触することがある。そのため、これらの接触により、手から誤って遊技球を落とすという問題や、接触が気になって遊技者が遊技に集中できないという問題を生じることがある。
【０００６】
この発明は、このような事情に鑑みてなされたものであって、下側貯留部の貯留領域から上側貯留部の貯留領域へ円滑に遊技球を移動させることができる遊技機を提供することを目的とする。
【課題を解決するための手段】
【０００７】
この発明は、このような目的を達成するために、次のような構成をとる。
すなわち、請求項１に記載の発明は、払い出された遊技球を貯留可能な貯留領域を有する上側貯留部と、
前記上側貯留部よりも下側に設けられ、払い出された遊技球を貯留可能な貯留領域を有する下側貯留部と、を遊技機本体の前面側に備える遊技機において、
前記下側貯留部の貯留領域は、前記上側貯留部を平面視した状態で、前記上側貯留部の周壁部よりも外側に位置する外側領域を有する
ことを特徴とするものである。
【０００８】
［作用・効果］請求項１に記載の発明によれば、下側貯留部の外側領域は、上側貯留部を平面視した状態で、上側貯留部の周壁部よりも外側に位置するので、遊技者が下側貯留部に貯留された遊技球を手で掴み、当該手を上側貯留部の貯留領域に移動させる際に、下側貯留部の貯留領域に貯留されている遊技球を下側貯留部の外側領域から取り出し易くなる。また、下側貯留部の外側領域が上側貯留部の周壁部よりも外側に離れている分だけ、遊技者の手が上側貯留部の周壁部と接触し難くなる。したがって、下側貯留部の外側領域から上側貯留部の貯留領域へ円滑に遊技球を移動させることができる。
【発明の効果】
【０００９】
この発明に係る遊技機によれば、下側貯留部の外側領域は、上側貯留部を平面視した状態で、上側貯留部の周壁部よりも外側に位置するので、下側貯留部の外側領域から上側貯留部の貯留領域へ円滑に遊技球を移動させることができる。
【図面の簡単な説明】
【００１０】
【図１】実施例１の遊技機の全体を示す斜視図である。
【図２】遊技機の正面図である。
【図３】遊技機の内部開放状態を示す斜視図である。
【図４】遊技機の内部開放状態を示す斜視図である。
【図５】遊技機の背面図である。
【図６】遊技機本体部とその開閉動作の概要を模式的に示す図である。
【図７】ドアブロックと受皿ブロックとを分離して示す斜視図である。
【図８】ドアブロックと受皿ブロックとを分離して示す斜視図である。
【図９】ドアブロックを構成する前扉体と内枠とを分離して示す斜視図である。
【図１０】ドアブロックを構成する前扉体と内枠とを分離して示す斜視図である。
【図１１】受皿ブロックの正面図である。
【図１２】受皿ブロックの平面図である。
【図１３】受皿ブロックの背面図である。
【図１４】受皿ブロックの分解斜視図である。
【図１５】受皿ブロックの分解斜視図である。
【図１６】上皿とそれに付随して設けられる部材とを示す分解斜視図である。
【図１７】上皿の平面図である。
【図１８】排出操作伝達装置の構成を示す斜視図である。
【図１９】排出操作伝達装置の構成を示す平面図である。
【図２０】球通路形成体とそれに付随して設けられる部材とを示す分解斜視図である。
【図２１】球通路形成体とそれに付随して設けられる部材とを示す分解斜視図である。
【図２２】球留め装置の単体の構成を示す平面図である。
【図２３】球留め装置を球通路形成体に装着した状態を示す図である。
【図２４】球留め装置の操作状態と遊技球の流れとの関係を示す図である。
【図２５】取込ユニットの斜視図である。
【図２６】取込ユニットの斜視図である。
【図２７】取込ユニットの分解斜視図である。
【図２８】取込ユニットの分解斜視図である。
【図２９】取込装置の内部構造を示す断面図である。
【図３０】取込装置の分解斜視図である。
【図３１】取込装置の分解斜視図である。
【図３２】排出ゲート部材の構成を示す斜視図である。
【図３３】排出ゲート部材の動作を説明するための図である。
【図３４】取込装置の動作説明図である。
【図３５】払出制御ユニットの分解斜視図である。
【図３６】面替えブロックの斜視図である。
【図３７】面替えブロックの斜視図である。
【図３８】面替えブロックの正面図である。
【図３９】面替えブロックの分解斜視図である。
【図４０】両替えブロックの分解斜視図である。
【図４１】前面枠の構成を示す斜視図である。
【図４２】ベース板の構成を示す斜視図である。
【図４３】リール装置の構成を示す斜視図である。
【図４４】払出ブロックの斜視図である。
【図４５】払出ブロックの背面図である。
【図４６】遊技機の電気的構成を説明するためのブロック図である。
【図４７】（ａ）は、上皿と下皿とを説明するための平面図であり、（ｂ）は、遊技機の下部分を示す正面図である。
【図４８】（ａ）は、下皿の外側領域に遊技球が貯留されている状態を示す平面図であり、（ｂ）は、下皿から上皿へ遊技球を移動させる動作を説明するための正面図である。
【図４９】実施例２の遊技機の全体を示す斜視図である。
【図５０】実施例２の遊技機の正面図である。
【図５１】（ａ）は、上皿と下皿とを説明するための平面図であり、（ｂ）は、遊技機の下部分を示す正面図である。
【図５２】（ａ）は、下皿の外側領域に遊技球が貯留されている状態を示す平面図であり、（ｂ）は、下皿から上皿へ遊技球を移動させる動作を説明するための正面図である。
【図５３】実施例３の遊技機の全体を示す斜視図である。
【図５４】実施例３の遊技機の正面図である。
【図５５】（ａ）は、上皿と下皿とを説明するための平面図であり、（ｂ）は、遊技機の下部分を示す正面図である。
【図５６】（ａ）は、下皿の外側領域に遊技球が貯留されている状態を示す平面図であり、（ｂ）は、下皿から上皿へ遊技球を移動させる動作を説明するための正面図である。
【図５７】実施例４の遊技機の全体を示す斜視図である。
【図５８】実施例４の遊技機の正面図である。
【図５９】（ａ）は、上皿と下皿とを説明するための平面図であり、（ｂ）は、遊技機の下部分を示す正面図である。
【図６０】（ａ）は、下皿の外側領域に遊技球が貯留されている状態を示す平面図であり、（ｂ）は、下皿から上皿へ遊技球を移動させる動作を説明するための正面図である。
【図６１】実施例５の遊技機の全体を示す斜視図である。
【図６２】実施例５の遊技機の正面図である。
【図６３】（ａ）は、上皿と下皿とを説明するための平面図であり、（ｂ）は、遊技機の下部分を示す正面図である。
【図６４】（ａ）は、下皿の貯留領域に遊技球が貯留されている状態を示す平面図であり、（ｂ）は、下皿から上皿へ遊技球を移動させる動作を説明するための正面図である。
【図６５】実施例６の遊技機の正面図であり、
【図６６】（ａ）は、上皿と下皿を説明するための平面図であり、（ｂ）は、遊技機の下部分を示す正面図である。
【図６７】（ａ）乃至（ｄ）は、下皿７１の正面図、平面図、右側面図、背面図である。
【図６８】（ａ）及び（ｂ）は、図６９（ｃ）及び（ｄ）に示される下皿を拡大した図である。
【図６９】スライド移動機構の概略を説明するための平面図である。
【図７０】（ａ）は、図７１に示すスライド移動機構のＡ−Ａ線断面図であり、（ｂ）は、図７１に示すスライド移動機構のＢ−Ｂ線断面図である。
【図７１】変形例に係るパチンコ機の正面図である。
【発明を実施するための形態】
【００１１】
本明細書は、次のような遊技機に係る発明も開示している。
【００１２】
（Ａ１）払い出された遊技球を貯留可能な貯留領域を有する上側貯留部と、
前記上側貯留部よりも下側に設けられ、払い出された遊技球を貯留可能な貯留領域を有する下側貯留部と、を遊技機本体の前面側に備える遊技機において、
前記下側貯留部の貯留領域は、前記上側貯留部を平面視した状態で、前記上側貯留部の周壁部よりも外側に位置する外側領域を有する
ことを特徴とする遊技機。
【００１３】
前記（Ａ１）に記載の発明によれば、下側貯留部の外側領域は、上側貯留部を平面視した状態で、上側貯留部の周壁部よりも外側に位置するので、遊技者が下側貯留部に貯留された遊技球を手で掴み、当該手を上側貯留部の貯留領域に移動させる際に、下側貯留部の貯留領域に貯留されている遊技球を下側貯留部の外側領域から取り出し易くなる。また、下側貯留部の外側領域が上側貯留部の周壁部よりも外側に離れている分だけ、遊技者の手が上側貯留部の周壁部と接触し難くなる。したがって、下側貯留部の外側領域から上側貯留部の貯留領域へ円滑に遊技球を移動させることができる。
【００１４】
（Ａ２）  前記Ａ１に記載の遊技機において、
前記下側貯留部の外側領域は、前記上側貯留部を平面視した状態で、前記上側貯留部の左側周壁部よりも左外側に位置するように形成されている
ことを特徴とする遊技機。
【００１５】
前記（Ａ２）に記載の発明によれば、下側貯留部の外側領域は、上側貯留部を平面視した状態で、上側貯留部の左側周壁部よりも左外側に位置するので、下側貯留部の外側領域が遊技者の左手側に位置することになる。したがって、遊技者は、左手で下側貯留部から遊技球を取り出し易くなり、取り出した遊技球を運ぶ際に左手が上側貯留部の周壁部に接触し難くなり、下側貯留部の外側領域から上側貯留部の貯留領域へ円滑に遊技球を移動させることができる。なお、左側周壁部よりも左外側とは、左側周壁部よりもさらに左側に位置する領域であり、左側周壁部の左外方である。以下の左外側も同じ意味である。
【００１６】
（Ａ３）  前記Ａ１に記載の遊技機において、
前記下側貯留部の外側領域は、前記上側貯留部を平面視した状態で、前記上側貯留部の右側周壁部よりも右外側に位置するように形成されている
ことを特徴とする遊技機。
【００１７】
前記（Ａ３）に記載の発明によれば、下側貯留部の外側領域は、上側貯留部を平面視した状態で、上側貯留部の右側周壁部よりも右外側に位置するので、下側貯留部の外側領域が遊技者の右手側に位置することになる。したがって、右手で下側貯留部から遊技球を取り出し易くなり、取り出した遊技球を運ぶ際に右手が上側貯留部の周壁部に接触し難くなり、下側貯留部の外側領域から上側貯留部の貯留領域へ円滑に遊技球を移動させることができる。なお、右側周壁部よりも右外側とは、右側周壁部よりもさらに右側に位置する領域であり、右側周壁部の右外方である。以下の右外側も同じ意味である。
【００１８】
（Ａ４）前記Ａ１に記載の遊技機において、
前記下側貯留部の外側領域は、前記上側貯留部の前側周壁部よりも前外側に位置するように形成されている
ことを特徴とする遊技機。
【００１９】
前記（Ａ４）に記載の発明によれば、下側貯留部の外側領域は、上側貯留部の前側周壁部よりも前外側に位置するので、下側貯留部の外側領域が遊技者の正面側に位置することになる。したがって、左右どちらの手でも、下側貯留部から遊技球を取り出し易くなり、取り出した遊技球を運ぶ際に上側貯留部の周壁部に接触し難くなり、下側貯留部の外側領域から上側貯留部の貯留領域へ円滑に遊技球を移動させることができる。なお、前側周壁部よりも前外側とは、前側周壁部よりもさらに前側に位置する領域であり、前側周壁部の前外方である。以下の前外側も同じ意味である。
【００２０】
（Ａ５）前記Ａ１に記載の遊技機において、
前記下側貯留部の外側領域は、前記上側貯留部を平面視した状態で、前記上側貯留部の左側周壁部よりも左外側に位置するとともに、前記上側貯留部の前側周壁部よりも前外側に位置するように形成されている
ことを特徴とする遊技機。
【００２１】
前記（Ａ５）に記載の発明によれば、下側貯留部の外側領域は、上側貯留部を平面視した状態で、上側貯留部の左側周壁部よりも左外側に位置するとともに、上側貯留部の前側周壁部よりも前外側に位置するので、下側貯留部の外側領域が遊技者の左手側だけでなく正面側にも位置する。言い換えると、下側貯留部の外側領域は、遊技者の左手側に拡張された領域と遊技者の手前側に拡張された領域とによって形成される。これにより、下側貯留部は、遊技者の左手側のみへの拡張を抑えながら、下側貯留部の外側領域を拡張できる。
【００２２】
下側貯留部の幅方向の大きさは、遊技機の幅方向の大きさ、ひいては、遊技機を設置するホールの設置スペースの大きさに依存している。そのため、下側貯留部の外側領域を下側貯留部の左側周壁部よりも左外側に拡張できるスペースにも限界がある。そこで、下側貯留部の外側領域を下側貯留部の左側周壁部よりも左外側だけでなく上側貯留部の前側周壁部よりも前外側にも拡張することによって、限られたスペース内で下側貯留部の外側領域をより大きく形成することができる。同様のことは、（Ａ６）で後述する下側貯留部の右側周壁部についても言える。
【００２３】
（Ａ６）前記Ａ１に記載の遊技機において、
前記下側貯留部の外側領域は、前記上側貯留部を平面視した状態で、前記上側周壁部の右側周壁部よりも右外側に位置するとともに、前記上側貯留部の前側周壁部よりも前外側に位置するように形成されている
ことを特徴とする遊技機。
【００２４】
前記（Ａ６）に記載の発明によれば、下側貯留部の外側領域は、上側貯留部を平面視した状態で、上側周壁部の右側周壁部よりも右外側に位置するとともに、上側貯留部の前側周壁部よりも前外側に位置するので、下側貯留部の外側領域は、遊技者の右手側だけでなく正面側にも位置する。言い換えると、下側貯留部の外側領域は、遊技者の右手側に拡張された領域と、遊技者の正面側に拡張された領域とによって形成される。これにより、下側貯留部は、遊技者の右手側のみへの拡張を抑えながら、下側貯留部の外側領域を拡張できる。
【００２５】
（Ａ７）前記Ａ１に記載の遊技機において、
前記下側貯留部の外側領域は、前記上側貯留部を平面視した状態で、前記上側貯留部の周壁部を前記下側貯留部の周壁部よりも内側に位置するように凹状に形成することによって、形成されている
ことを特徴とする遊技機。
【００２６】
前記（Ａ７）に記載の発明によれば、下側貯留部の外側領域は、上側貯留部を平面視した状態で、上側貯留部の周壁部を下側貯留部の周壁部よりも内側に凹ませた位置に設けられているので、下側貯留部の外側領域が当該外側領域以外の他の貯留領域を構成する周壁部よりも外側に凸状に形成されることなく、下側貯留部の外側領域を形成することができる。よって、下側貯留部の外側領域を構成する周壁部が外側へ突出する量が低減される分だけ、下側貯留部と遊技者との間の間隔が狭くなることを低減できる。また、デザイン的にも違和感の生じにくい形で、下側貯留部の外側領域を形成することができる。
【００２７】
また、本明細書は、次のような遊技機に係る発明も開示している。
【００２８】
（Ｂ１）  払い出された遊技球を貯留可能な貯留領域を有する上側貯留部と、
前記上側貯留部の前面側に設けられ、遊技者によって操作される操作部と、
前記上側貯留部よりも下側に設けられ、払い出された遊技球を貯留可能な貯留領域を有する下側貯留部と、を遊技機本体の前面側に備える遊技機において、
前記下側貯留部の貯留領域は、前記上側貯留部を平面視した状態で、前記上側貯留部の周壁部及び前記操作部よりも外側に位置する外側領域を有する
ことを特徴とする遊技機。
【００２９】
前記（Ｂ１）に記載の発明によれば、操作部が上側貯留部の前面側に設けられているので、操作部を操作する遊技者の一方の手は上側貯留部の前面側で動くことになる。他方、下側貯留部の外側領域は、上側貯留部を平面視した状態で、上側貯留部の周壁部及び操作部よりも外側に位置するので、遊技者が下側貯留部の外側領域に貯留された遊技球を他方の手で掴み、当該他方の手を上側貯留部の貯留領域に移動させる際に、下側貯留部の外側領域が上側貯留部の周壁部及び操作部よりも外側に離れている分だけ、上側貯留部の前面側で動く遊技者の一方の手と干渉し難くなる。また、遊技球を掴んだ手が上側貯留部の前面側に設けられた操作部に誤って接触することによって生じる誤操作の恐れが低減する。
その結果、遊技者は、下側貯留部の外側領域から上側貯留部の貯留領域へ円滑に遊技球を移動させることができる。
【００３０】
（Ｂ２）  払い出された遊技球を貯留可能な貯留領域を有する上側貯留部と、
前記上側貯留部の前面側に設けられ、遊技者によって操作される操作部と、
前記上側貯留部よりも下側に設けられ、払い出された遊技球を貯留可能な貯留領域を有する下側貯留部と、を遊技機本体の前面側に備える遊技機において、
前記遊技機本体を正面視した状態で、前記上側貯留部の中心に対して前記下側貯留部の中心が左右いずれかに偏心している
ことを特徴とする遊技機。
【００３１】
前記（Ｂ２）に記載の発明によれば、遊技機本体を正面視した状態で、上側貯留部の中心に対して下側貯留部の中心が左右いずれかに偏心しているので、その偏心している分だけ、上側貯留部の前面側に設けられた操作部を操作する遊技者の一方の手と、下側貯留部の貯留領域に貯留された遊技球を掴んで上側貯留部に移動させようとする遊技者の他方の手とが、干渉し難くなる。これによって、（Ｂ１）に係る発明と同様に、遊技球を掴んだ手が上側貯留部の前面側に設けられた操作部に誤って接触することによって生じる誤操作の恐れが低減する。その結果、遊技者は、下側貯留部の貯留領域から上側貯留部の貯留領域へ円滑に遊技球を移動させることができる。
【００３２】
（Ｂ３）  前記（Ｂ１）又は（Ｂ２）に記載の遊技機において、
前記下側貯留部の外側領域は、前記上側貯留部を平面視した状態で、前記上側貯留部の左側周壁部よりも左外側に位置するように形成されている
ことを特徴とする遊技機。
【００３３】
前記（Ｂ３）に記載の発明によれば、下側貯留部の外側領域は、上側貯留部を平面視した状態で、上側貯留部の左側周壁部よりも左外側に形成されているので、遊技球を掴んだ遊技者の左手は、上側貯留部の左側周壁部よりも左外側で動くことになる。つまり、遊技球を掴んだ遊技者の左手が動かされる領域と、操作部を操作する遊技者の右手が動かされる領域とが互いに離れることになる。したがって、遊技者が操作部を右手で操作している最中に、空いている左手で下側貯留部に貯留される遊技球を上側貯留部に移動させても、左手と右手との干渉のおそれが低減される。
【００３４】
（Ｂ４）  前記（Ｂ２）又は（Ｂ３）に記載の遊技機において、
前記操作部は、遊技球の賭け数の指示を遊技者から受ける賭け数指示操作手段と、複数の図柄を外周面に付した回転体の回転開始指示を遊技者から受ける始動操作手段と、前記回転体の回転停止指示を遊技者から受ける停止操作手段のうち、少なくともいずれかひとつの操作手段であって、
前記下側貯留部の外側領域は、前記上側貯留部を正面視した状態で、最も左側に配設される操作手段よりも左外側に位置するように形成されている
ことを特徴とする遊技機。
【００３５】
前記（Ｂ４）に記載の発明によれば、賭け数指示操作手段と始動操作手段と停止操作手段のうち少なくともいずれかひとつの操作手段が、上側貯留部の前面側に設けられるので、操作手段を操作する遊技者の右手は、賭け数指示操作や始動操作や停止操作のいずれかを行う際に、上側貯留部の前面側で動くことになる。他方、下側貯留部の外側領域は、上側貯留部を正面視した状態で、最も左側に配設される操作手段よりも左外側に位置するので、遊技球を掴んだ遊技者の左手は、この最も左側に配設される操作手段よりも左外側で動くことになる。つまり、遊技球を掴んだ遊技者の左手が動かされる領域と、操作手段を操作する遊技者の右手が動かされる領域とが、この最も左側に配設される操作手段を境に互いに離れることになる。したがって、遊技者が右手で賭け数指示操作や始動操作や停止操作のいずれかの操作をしている最中に、空いている左手で下側貯留部に貯留される遊技球を上側貯留部に移動させても、左手と右手との干渉のおそれが低減される。
【００３６】
（Ｂ５）  前記（Ｂ２）または（Ｂ４）に記載の遊技機において、
前記下側貯留部は、前記上側貯留部から遊技球を受け入れる流入口を有し、
前記下側貯留部の貯留領域は、前記流入口側から前記外側領域側へ下り傾斜する下り傾斜面を有する
ことを特徴とする遊技機。
【００３７】
前記（Ｂ５）に記載の発明によれば、下側貯留部の貯留領域を構成する下り傾斜面は、下側貯留部に設けられた流入口側から下側貯留部の外側領域側へ下り傾斜しているので、流入口から下側貯留部へ受け入れられた遊技球は、下側貯留部の外側領域に貯留され易い。したがって、上側貯留部から下側貯留部へ受け入れられる遊技球の数が少ない場合であっても、下側貯留部の外側領域には流入口から受け入れられた遊技球が貯留される。また、上側貯留部から下側貯留部へある程度の量の遊技球が受け入れられているが、下側貯留部から上側貯留部に頻繁に遊技球が取り出されているような場合であっても、下側貯留部の貯留領域に貯留されている遊技球は取り出された分だけ外側領域側に寄せられる。その結果、下側貯留部の貯留領域に貯留される遊技球の多寡に関わらず、下側貯留部の外側領域に遊技球が集まり易く構成されているので、下側貯留部の外側領域が有効に使用される。
【００３８】
（Ｂ６）  前記（Ｂ５）に記載の遊技機において、
前記下側貯留部の外側領域は、前記下り傾斜面の一部と、当該下り傾斜面の一部のうち前記流入口側よりも低位に連なり、前記下側貯留部を正面視した状態で左側の周壁部に向けて上り傾斜する上り傾斜面と、からなる凹面を有する
ことを特徴とする遊技機。
【００３９】
前記（Ｂ６）に記載の発明によれば、下側貯留部の外側領域を構成する凹面は、下り傾斜面の一部と上り傾斜面とによって形成されているので、遊技者は、下側貯留部の外側領域に左手を入れて、凹面を形成する下り傾斜面から上り傾斜面に向けて円滑に動かすことができる。よって、下側貯留部の外側領域から円滑に遊技球を取り出すことができるので、下側貯留部の外側領域が有効に使用される。
【００４０】
（Ｂ７）  前記（Ｂ６）に記載の遊技機において、
前記凹面は、前記下側貯留部を正面視した状態で、前記凹面の左側の端部が上向きに延出し、前記上側貯留部の側方にまで至るように形成されている
ことを特徴とする遊技機。
【００４１】
前記（Ｂ７）に記載の発明によれば、下側貯留部を正面視した状態で、下側貯留部の外側領域を構成する凹面の左側の端部は、上向きに延出し、上側貯留部の側方にまで至っているので、下側貯留部の外側領域に入れて遊技球を掴んだ左手は、凹面の左側の端部から上向きに上側貯留部の側方に至るまで、円滑に案内される。よって、下側貯留部の外側領域から上側貯留部の貯留領域まで円滑に遊技球を運ぶことができるので、下側貯留部の外側領域が有効に使用される。
【００４２】
（Ｂ８）  前記（Ｂ２）から（Ｂ７）のいずれかに記載の遊技機において、
前記下側貯留部の外側領域と前記上側貯留部との位置関係は、前記下側貯留部の外側領域に貯留された遊技球を遊技者が左手で掴んで前記上側貯留部へ移すために遊技者の左手を動かしたときに、当該遊技者の左手と前記操作部を操作する遊技者の右手とが接触し難い位置関係になるように設定される
ことを特徴とする遊技機。
【００４３】
前記（Ｂ８）に記載の発明によれば、下側貯留部の外側領域と上側貯留部とは、下側貯留部の外側領域に貯留された遊技球を遊技者が左手で掴んで上側貯留部へ移すために遊技者の左手を動かしたときに、当該遊技者の左手と操作部を操作する遊技者の右手とが接触し難い位置関係になるように設けられているので、当該遊技者の左手と操作部を操作する遊技者の右手との干渉のおそれを低減することができる。
【００４４】
（Ｂ９）  前記（Ｂ８）に記載の遊技機において、
前記下側貯留部の外側領域と前記上側貯留部との位置関係は、前記下側貯留部の外側領域に貯留された遊技球を掴んだ遊技者の左手を上向きに前記上側貯留部まで動かしたときに、当該遊技者の左手と前記操作部を操作する遊技者の右手とが接触し難い位置関係になるように設定される
ことを特徴とする遊技機。
【００４５】
前記（Ｂ９）に記載の発明によれば、下側貯留部の外側領域と上側貯留部とは、下側貯留部の外側領域に貯留された遊技球を掴んだ遊技者の左手を上向きに上側貯留部まで動かしたときに、当該遊技者の左手と操作部を操作する遊技者の右手とが接触し難い位置関係になるように設けられているので、下側貯留部の外側領域に貯留された遊技球を掴んだ後、当該遊技者の左手を上向きに上側貯留部まで動かすという頻繁に行われ易い動作において、当該遊技者の左手と操作部を操作する遊技者の右手との干渉のおそれを低減することができる。
【００４６】
また、本明細書は、次のような遊技機に係る発明も開示している。
【００４７】
（Ｃ１）  払い出された遊技球を貯留可能な貯留領域を有する上側貯留部と、
前記上側貯留部よりも下側に設けられ、払い出された遊技球を貯留可能な貯留領域を有する下側貯留部と、を遊技機本体の前面側に備える遊技機において、
前記上側貯留部および前記下側貯留部を相対的に水平移動させる移動手段を備え、
前記移動手段は、前記上側貯留部および前記下側貯留部を相対的に水平移動させることによって、前記上側貯留部を平面視した状態で、前記下側貯留部の貯留領域が前記上側貯留部の周壁部よりも外側に位置する外側領域を形成する
ことを特徴とする遊技機。
【００４８】
前記（Ｃ１）に記載の発明によれば、移動手段が上側貯留部および下側貯留部を相対的に水平移動することによって、上側貯留部を平面視した状態で、下側貯留部の貯留領域が上側貯留部の周壁部よりも外側に位置する外側領域が形成されるので、上側貯留部および下側貯留部が水平移動する方向に応じた位置に下側貯留部の外側領域を形成することができる。また、移動手段が使用されない場合には、下側貯留部において外側領域を形成しないこともできる。
【００４９】
下側貯留部において常時、外側領域が形成される場合には、遊技者の脚などが下側貯留部の外側領域を構成する周壁部に衝突し易くなるという問題がある。そこで、移動手段によって外側領域が形成される状態と外側領域が形成されない状態とを選択できるようにすることで、必要に応じて下側貯留部の外側領域を形成できる。よって、例えば遊技者が遊技機を中断して席を立つときなどには、下側貯留部の外側領域を形成しないことによって、遊技者の脚などが下側貯留部の外側領域を構成する周壁部に衝突するおそれを低減できる。また、例えば遊技者が下側貯留部から上側貯留部へ遊技球を移動させたいときは、下側貯留部の外側領域を形成することによって、下側貯留部の外側領域から上側貯留部の貯留領域へ円滑に遊技球を移動させることができる。
【００５０】
（Ｃ２）  前記Ｃ１に記載の遊技機において、
前記移動手段は、前記上側貯留部および前記下側貯留部を相対的に水平にスライド移動させるスライド移動手段である
ことを特徴とする遊技機。
【００５１】
前記（Ｃ２）に記載の発明によれば、スライド移動手段が上側貯留部および下側貯留部を相対的に水平にスライド移動することによって、上側貯留部および下側貯留部を相対的に水平にスライド移動した距離に応じて、下側貯留部の外側領域を形成することができる。
【００５２】
（Ｃ３）  前記Ｃ２に記載の遊技機において、
前記スライド移動手段は、手操作で力を加えることによって前記上側貯留部または前記下側貯留部をスライド移動させる手段である
ことを特徴とする遊技機。
【００５３】
前記（Ｃ３）に記載の発明によれば、スライド移動手段に手操作で力を加えることによって、上側貯留部または下側貯留部がスライド移動されるので、手操作で上側貯留部または下側貯留部をスライド移動させるだけで、下側貯留部の外側領域を形成することができる。
【００５４】
（Ｃ４）  前記（Ｃ２）に記載の遊技機において、
前記スライド移動手段は、電力を加えることによって、前記上側貯留部および前記下側貯留部をスライド移動させる駆動手段を備える
ことを特徴とする遊技機。
【００５５】
前記（Ｃ４）に記載の発明によれば、駆動手段に電力を加えることによって、上側貯留部および下側貯留部がスライド移動されるので、上側貯留部および下側貯留部をスライド移動させる労力が低減される。
【００５６】
（Ｃ５）  前記（Ｃ１）に記載の遊技機において、
前記下側貯留部は、その一部が水平にスライド移動可能に形成され、前記下側貯留部のスライド可能な一部を所定範囲内でスライド移動させる分離移動手段である
ことを特徴とする遊技機。
【００５７】
前記（Ｃ５）に記載の発明によれば、下側貯留部の一部は水平にスライド移動可能に形成され、分離移動手段がこの下側貯留部のスライド可能な一部を所定範囲内でスライド移動するので、下側貯留部の外側領域を形成するにあたって下側貯留部の一部をスライド移動させるだけで済む。
【００５８】
（Ｃ６）  前記Ｃ１に記載の遊技機において、
前記移動手段は、前記下側貯留部を遊技機本体の所定の取付位置から取り外すとともに、前記下側貯留部を前記所定の取付位置とは異なる所定の取付位置に取り付けることによって、移動可能とする取り外し移動手段である
ことを特徴とする遊技機。
【００５９】
前記（Ｃ６）に記載の発明によれば、取り外し移動手段は、下側貯留部を遊技機本体の所定の取付位置から取り外すとともに、下側貯留部を所定の取付位置とは異なる所定の取付位置に取り付けることによって、下側貯留部を移動可能とするので、遊技機本体に下側貯留部が着脱される取付位置を複数設けるだけで下側貯留部の外側領域を形成することができる。
【００６０】
（Ｃ７）  前記Ｃ１に記載の遊技機において、
前記上側貯留部を平面視した状態で、前記下側貯留部の外側領域が上側貯留部の左側周壁部よりも左外側に位置するように形成される状態と、前記下側貯留部の外側領域が上側貯留部の右側周壁部よりも右外側に位置するように形成される状態とを選択可能とする選択手段を備える
ことを特徴とする遊技機。
【００６１】
前記（Ｃ７）に記載の発明によれば、選択手段は、上側貯留部を平面視した状態で、下側貯留部の外側領域が形成される位置を上側貯留部の右側周壁部よりも右外側または上側貯留部の左側周壁部よりも左外側のいずれかに選択可能とするので、左利きの遊技者に対しても右利きの遊技者に対しても、操作部を操作する手と反対側の手の側に下側貯留部の外側領域を形成することができる。
【００６２】
以下に、遊技球を遊技媒体として用いて遊技を行う、遊技球使用回胴遊技機に関する各種の実施の形態を、図面に基づいて詳細に説明する。
【実施例１】
【００６３】
実施例１の遊技機１を、図面に基づいて詳細に説明する。実施例１の遊技機１は、遊技に際して所定数の遊技媒体（遊技価値）としての遊技球（例えばパチンコ機と同様の遊技球：パチンコ球）の取込を必要とし、所定条件が成立した場合には複数の遊技球、場合によっては大量の遊技球が払い出されるよう構成されている。本遊技機には、遊技ホール等においてパチンコ機と共通の遊技球供給システムから遊技球の供給がなされるようになっており、パチンコ機が設置される既存の島設備（パチンコ島）に本遊技機を設置することが可能となっている。
【００６４】
まず、遊技機１の外観構成及び内部構造の概略を説明する。ここで、図１は実施例1の遊技機１の全体を示す斜視図、図２は遊技機１の正面図、図３は外枠２と遊技機本体部３との開放状態を示す斜視図、図４は図３の状態から遊技機本体部３を構成する各部材の開放状態を示す斜視図、図５は遊技機１の背面図である。なお以下の説明においては、特に注記しない限りは、遊技機１の正面から見た状態を基準として左右上下及び前後などの方向を記載することとする。また、特に注記しない限りは、遊技機１を上下に通る中心線を基準として、この中心線を向いた側を内側とするとともに、これとは反対側を向いた側を外側とする。
【００６５】
遊技機１は、図１，３に示すように、本体枠としての外枠２と、この外枠２に対して前方に回動可能に取り付けられた遊技機本体部３とを有する。外枠２は木製の板材を四辺に連結し構成されるものであって、全体として矩形状をなしている。本遊技機１を遊技ホールに設置する際には、外枠２が島設備に取り付け固定される。外枠２を合成樹脂やアルミニウム等の金属によって構成することも可能である。図３等では隠れて図示されていないが、外枠２を構成する四辺の板材のうち右辺の板材には、その内側上下２箇所に、後述するドアブロック４に設けた施錠部材（詳しくは鉤金具１２３，１２４）を係止するための鉤受け部（図示省略）が設けられている。
【００６６】
遊技機本体部３は、図４に示すように、扉体ユニットであるドアブロック４と、球受皿ユニットである受皿ブロック５と、絵柄表示ユニットである面替えブロック６と、遊技球の払出ユニットである払出ブロック７とから構成されている。図３に示すように、ドアブロック４には上下２箇所にヒンジ金具８が設けられており、このヒンジ金具８と外枠２側の上下２箇所の支持金具９とにより、ドアブロック４（遊技機本体部３）が外枠２に対して回動可能に支持されている。この場合、遊技機１を正面から見て左側に回動軸線が設けられる構成となっており、遊技機本体部３は正面から見て右側を回動先端部として開放される。外枠２に対して遊技機本体部３が閉じた状態では、ドアブロック４の外周縁部の背面が外枠２の前面に当接するようになっている。
【００６７】
受皿ブロック５はドアブロック４の背面側に着脱可能に取り付けられている。また、面替えブロック６はドアブロック４の背面側において受皿ブロック５の上方に取り付けられ、更に両替えブロック６を背面側から覆うようにして払出ブロック７が取り付けられている。これら面替えブロック６と払出ブロック７はドアブロック４の一部にそれぞれ回動可能に支持されており、これら各ブロック６，７は、外枠２に対してドアブロック４と一体で回動可能となるとともに、ドアブロック４に対して各々個別に回動可能となる構造を有する。
【００６８】
遊技機本体部３を背面側から見て、ドアブロック４の背面には払出ブロック７と受皿ブロック５とが上下に並ぶようにして配殻されている。
【００６９】
ここで、遊技機本体部３を構成する上記の各部材について相対的な位置関係と動作状態を簡単に説明する。図６は遊技機本体部３を模式的に示す図面であり、図６（ａ）は遊技機本体部３を背面側から見た図、図６（ｂ）〜（ｄ）はドアブロック４に対する面替えブロック６と払出ブロック７の開放動作状況を示す図である。
【００７０】
図６（ａ）に示すように、ドアブロック４に対して面替えブロック６や払出ブロック７を開放動作させるための軸線ＡＸ１は図の右側（正面から見ると左側）に設けられている。この軸線ＡＸ１は、面替えブロック６を支持するための軸線と払出ブロック７を支持するための軸線とを兼ねるものとなっている。この場合、図示のＭ１，Ｍ２は面替えブロック６を支持するための支持手段であり、Ｍ３，Ｍ４は払出ブロック７を支持するための支持手段である。つまり、面替えブロック６用の支持手段Ｍ１，Ｍ２は同軸で上下一対に設けられている。また、払出ブロック７用の支持手段Ｍ３，Ｍ４は、支持手段Ｍ１，Ｍ２を挟むようにして同軸で上下一対に設けられており、更に支持手段Ｍ１，Ｍ２に対しても同軸となっている。
【００７１】
上記構成により、図６（ｂ）〜（ｄ）の各動作が可能となっている。図６（ｂ）では、ドアブロック４に対して面替えブロック６と払出ブロック７とを一体的に開放動作させており、図６（ｃ）では、図６（ｂ）の状態から面替えブロック６に対して払出ブロック７を開放動作させている。また、図６（ｄ）では、ドアブロック４に対して面替えブロック６を閉じた状態から、払出ブロック７だけを開放動作させている。
【００７２】
（ドアブロック４の説明）
次に、ドアブロック４を、図７等を用いて詳細に説明する。ここで、図７，図８は、ドアブロック４と受皿ブロック５とを分離してそれらを前方から及び後方から示す斜視図である。また、図９，図１０は、ドアブロック４を構成する前扉体１１と内枠１２とを分離してそれらを前方から及び後方から示す斜視図である。なお以下のドアブロック４の説明では、図７〜図１０以外にも、前述の図１や図２等を適宜用いることとする。
【００７３】
ドアブロック４において、前扉体１１は、外枠２とほぼ同等の大きさ（縦寸法及び横寸法）を有し、その背面側に重なるようにして内枠１２が取り付けられている。内枠１２は、例えばアルミダイキャストにて成形されており、前扉体１１を補強する役目を有する他、後に詳述する面替えブロック６や払出ブロック７を支持する役目を有するものである。
【００７４】
（前扉体１１の説明）
前扉体１１は、図１に示すように、後述するリール図柄や液晶図柄等を視認可能とする図柄視認部（視認窓２１）と、遊技に際し遊技者により手動操作される操作部３０と、上皿部１５１で余剰となった遊技球などを貯留するための下皿７１とを備える。
【００７５】
すなわち、図９等に示すように、前扉体１１の上半部には、図柄視認部として略台形状をなす視認窓２１が形成されている。この視認窓２１には、平坦な透明板よりなる透明パネル２２がはめ込まれており、この透明パネル２２を介してその内方が視認可能となっている。
【００７６】
こうした比較的大型に構成される視認窓２１（透明パネル２２）によれば、大型の液晶表示装置を用いた画像の表示演出によって遊技者に多大なインパクトを与えることが可能になることに加え、本遊技機１の主表示装置たるリール装置５０３（図３９参照）の図柄の視認性が良好なものとなっている。
【００７７】
前扉体１１の周縁部には、視認窓２１を囲むようにして透明パネル２２よりも前方に張り出した囲い部２３が設けられている。この囲い部２３には、中央ランプ部２４と左右一対の側方ランプ部２５とが設けられるとともに、前扉体１１の右上隅部及び左上隅部にスピーカ部２６が設けられている。遊技に際しては、これらランプ部２４，２５やスピーカ部２６により、その都度の遊技状況に応じたランプ演出や音声演出等が行われる。すなわち、ランプ部２４，２５による発光色や発光パターンを適宜変更したり、スピーカ部２６による音声パターンを適宜変質したりすることで、役の成立等が遊技者に告知される。また、このランプ部２４，２５やスピーカ部２６を用いて、エラー告知等を行うことも可能である。
【００７８】
ちなみに、視認窓２１は、前扉体１１の左右幅に対して囲い部２３（左右の側方ランプ部２５）を除く範囲で設けられており、故に視認窓２１は左右に幅広いものとなっている。また言い加えると、視認窓２１は、後述するリール装置５０３（図３９参照）や液晶表示装置５０４（図３９参照）の横幅よりも幅広となっている。
【００７９】
視認窓２１の下方には、遊技者により操作される各種操作部材等を配備した操作部３０が設けられている。この操作部３０は、全体として横長状をなしかつ僅かに弧状をなす前面板部３１を有し、その前面板部３１には、スタートレバー３３が設けられるとともに、３連ボタンからなるストップスイッチ３５，３６，３７が設けられている。また、前面板部３１の上端部には、向かって左寄りの位置（概ねスタートレバー３３と左側のストップスイッチ３５との間）にベットスイッチ取付板部３２が形成されており、その取付板部３２にボタン状のベットスイッチ３８が取り付けられている。
【００８０】
ベットスイッチ３８は、遊技者によるベット（賭け数）の設定を行わせる操作部材であり、その押し操作により上皿１５１に貯留された遊技球が所定個数分取り込まれる。本実施の形態では、ベットスイッチ３８として、いわゆるＭＡＸベットスイッチを設けており）、有効な１回の押し操作により３ベット相当（１５個分）の遊技球が取り込まれる。ベットスイッチ３８は、投資価値としての遊技球の賭け数を指示する賭け指示操作手段を構成する。なお、ＭＡＸベットスイッチとしてのベットスイッチ３８の他に、１ベットスイッチや２ベットスイッチを設ける構成であっても良い。ちなみに、１ベットスイッチは、１回の押し操作により１ベット相当（５個分）の遊技球を取り込ませるためのベットスイッチであり、２ベットスイッチは、１回の押し操作により２ベット相当（１０個分）の遊技球を取り込ませるためのベットスイッチである。
【００８１】
スタートレバー３３は、後述するリール装置５０３（図３９参照）の各リール（回転体）を回転開始させるための操作部材であり、各リールを回転開始、すなわち図柄の可変表示を開始させるべく操作される始動操作手段を構成する。
【００８２】
ストップスイッチ３５〜３７は、停止対象となるリール（左、中、右の三列のリール）に対応するよう設けられており、回転中の各リールを個別に停止させるために操作される停止操作手段を構成する。各ストップスイッチ３５〜３７は、各リールが定速回転となると停止させることが可能な状態となり、かかる状態中には図示しないランプが点灯表示されることによって停止操作が可能であることが報知され、各リールの回転が停止すると消灯されるようになっている。
【００８３】
操作部３０の後方には、図７，図９に示すように、前面板部３１とほぼ同じ長さを有し上方に開口した横長状の開口部４１が形成されている。この開口部４１は、前扉体１１に受皿ブロック５を装着した場合に上皿１５１を配するための開口領域であり，開口部４１の左右方向の幅寸法は上皿１５１の左右方向の幅寸法に概ね合致し、開口部４１の前後方向の幅寸法は上皿１５１の前後方向の幅寸法よりも若干短いものとなっている。
【００８４】
操作部３０の前面板部３１には、図７，図９に示すように、正面から見て右下部に切欠部４２が形成されている。この切欠部４２は、後述する排出操作伝達装置１８０の操作レバー１８８を設置するための設置スペースとなっている。
【００８５】
視認窓２１（透明パネル２２）と操作部３０との間には、左右方向に延びる長板状のサブパネル部５０が設けられており、そのサブパネル部５０には情報表示部５１が設けられている。情報表示部５１には、小役成立時における獲得球数を表示する獲得球数表示部５３と、ビッグボーナスやレギュラーボーナス等の特別遊技状態の際に例えば残りのゲーム数等を表示するゲーム数表示部５４とが設けられている。これら表示部５３，５４は７セグメント表示器によって構成されているが、液晶表示器等によって代替することは当然可能である。
【００８６】
貸球操作部５２は、上皿１５１の後述するカバー部材１７５に設けられている。この貸球操作部５２は、例えば本遊技機１の側方（例えば左方）に配置された縦長のカードユニット（球貸しユニット）に紙幣やカード等を投入した状態で、球貸し操作、カード等の返却操作及び有効度数の確認を行うものであり、球貸しボタン５６と返却ボタン５７と度数表示部５８とが一体的に並設されている。この場合、球貸しボタン５６は、カード（記録媒体）等に記録された情報に基づいて貸出球を得るために操作されるものであり、カード等に残額が存在する限りにおいて貸出球が払い出される。返却ボタン５７は、カードユニットに挿入されたカード等の返却を求める際に操作される。度数表示部５８はカード等の残額情報を表示するものである。
【００８７】
前扉体１１において、サブパネル部５０の左右の側方部には、その上方の囲い部２３に比して奥側に後退するようにして弧状の凹み部６１が設けられており、その凹み部６１には、外枠２に対する遊技機本体部３（ドアブロック４）の施錠及び解錠を行うための施錠部材（詳細には、後述する内枠１２に設けたキーシリンダ１２５）を前方に露出させるためのキーシリンダ設置穴６２（図７，図９参照）が設置されている。
【００８８】
図１等で確認できるとおり左右の凹み部６１は上皿１５１の直ぐ上方に位置する。そのため、仮に遊技ホールにおいて球貸しユニットから延びる球貸しノズル（いわゆる象の鼻）を介して上皿１５１に遊技球が貸し出されるような場合にも、その球貸しノズルと前扉体１１との干渉を回避することができる。故に、遊技ホールでの設置状況を考えても有益な構成となっている。
【００８９】
更に、図１に示すように、前扉体１１において、操作部３０の下方には、囲い部２３及び凹部６１に連続するようにして膨出部７０が形成されており、その膨出部７０に囲まれるようにして下皿７１が形成されている。図９に示すように、膨出部７０に囲まれた奥壁部（後述する下皿当接板７３ｅ）には、下皿排出口７４とスピーカ穴７５とが形成されている。なお、図１では、スピーカ穴７５からスピーカ部１３２が現れた状態を図示している。上皿１５１やその上流通路に遊技球が満タンに貯留されている状態であって更に払出装置（後述する図４５の払出装置６０８）から遊技球が払い出される場合、或いは、上皿１５１内に貯留されている遊技球に対して球抜き操作が行われる場合には、下皿排出口７４を介して下皿７１に遊技球が排出される。
【００９０】
図９に示すように、下皿７１の底部には開口が形成されており、その開口には開閉板７６が設けられている。また、膨出部７０の略中央部には下皿用の球抜き操作片７７が設けられている。球抜き操作片７７は、下皿７１に貯留している遊技球を下皿７１の下方に置かれた球収容箱（いわゆるドル箱）に排出するための操作片であり、図示する通常位置から右方に操作されることで開閉板７６が開位置にスライド移動し、下皿７１内の遊技球の排出が行われる。その他、膨出部７０において下皿７１の左右両側方には下皿ランプ部７８が設けられている。
【００９１】
図１０に示すように、前扉体１１の背面側の構成として、視認窓２１の左右両側には側方ランプ部２５を収容するランプ収容部９１が設けられている。このランプ収容部９１は略角柱状をなしており、その内側面には、透明パネル２２を後方より支持するためのパネル支持板材９２が取り付けられている。
【００９２】
ここで透明パネル２２の取付の手順を説明する。視認窓２１の下縁部にはパネル厚み分の幅でパネル受溝９３が形成されている。透明パネル２２は、前扉体１１の後方から、その下端部がパネル受溝９３に嵌め込まれるとともに、その上端部が前扉体１１の背面部に当接される。そしてその状態で、左右のパネル支持板９２がビス等により取り付けられる。これにより、透明パネル２２の前扉体１１への取付が完了する。
【００９３】
図１０に示すように、前扉体１１の背面側において、視認窓２１（透明パネル２２）の下方には、開口部４１の奥側縁部から後方に向けて突出するようにして突出板９８が設けられている。
【００９４】
（内枠１２の説明）
図９や図１０に示すように、内枠１２は、前扉体１１と相似形をなす矩形状をなしており、概ね等しい細幅の左枠部１０１、右枠部１０２及び上枠部１０３と、それらよりも広幅の下枠部１０４とを有する。これら各枠部１０１〜１０４に囲まれる部位が中央開口部１０５となっており、内枠１２の背面側には、下枠部１０４の上縁部の一部を除く範囲で中央開口部１０５を囲むようにして一定高さのリブ１０６が形成されている。また、内枠１２において、外周縁部には前方に直角に折れ曲がった返し部１０７（図１０参照）が形成されている。前扉体１１に対して内枠１２を組み付けた際には、返し部１０７は前扉体１１の外縁部の内側に重なり、それによって前扉体１１と内枠１２との間に空間が形成される。そしてこの空間を利用してランプ装置等が配設されるようになっている。
【００９５】
前述したように本遊技機１は、正面から見て左側に回動軸線が設けられる構成となっており、上枠部１０３と下枠部１０４には前述のヒンジ金具８が上下２箇所に取り付けられている。
【００９６】
また、左枠部１０１には、リブ１０６の先端部から後方に延びるようにして上下一対の軸金具１１０，１１１が所定間隔を隔てて取り付けられている。この軸金具１１０，１１１は、面替えブロック６や払出ブロック７を回動可能に支持するための金具部材である。軸金具１１０，１１１は共に略コ字状をなしており、軸金具１１０には上下に軸受け部１１０ａ，１１０ｂが形成され、軸金具１１１には上下に軸受け部１１１ａ，１１１ｂが形成されている。これら軸金具１１０，１１１の各軸受け部１１０ａ，１１０ｂ，１１１ａ，１１１ｂには軸孔が形成されており、軸金具１１０，１１１は全ての軸孔が何れも同一の軸線上に配置されるようリブ１０６に固定されている。
【００９７】
かかる場合、軸金具１１０の下側の軸受け部１１０ｂと軸金具１１１の上側の軸受け部１１１ａとが面替えブロック６を支持する。軸金具１１０の上側の軸受け部１１０ａと軸金具１１１の下側の軸受け部１１１ｂと払出ブロック７を支持する。
【００９８】
また、右枠部１０２には、ドアブロック４を開放不能な施錠状態で保持するための施錠装置が設けられている。すなわち、右枠部１０２の背面側には上下方向に延びる基枠１２１が国定されており、その基枠１２１には、当該基枠１２１に対して上下方向に移動可能に組み付けられた長尺状の連動杆１２２が設けられている。連動杆１２２には鉤形状をなす上下一対の鉤金具１２３，１２４が設けられている。鉤金具１２３，１２４は、その中間部分が基枠１２１側に軸支されており、連動杆１２２が上方に移動することでその先端鉤部が下方に移動する構成となっている。
【００９９】
基枠１２１には、解錠操作部たるキーシリンダ１２５が設けられている。このキーシリンダ１２５は前後方向に延びる向きで設けられており、前扉体１１に内枠１２を組み付けた際にはシリンダ前面（キー挿入孔の設置側〕が前扉体１１に設けたキーシリンダ設置穴６２から露出することとなる。連動杆１２２を含む施錠機構と、キーシリンダ１２５と、キーシリンダ１２５に挿入されて所定方向に回動操作される操作キー〈図示省略）とが本遊技機１の施錠装置を構成する。
【０１００】
かかる場合、キーシリンダ１２５に操作キーを差し込んだ状態で、当該操作キーを時計回り方向に回動操作すると、連動杆１２２が上方に移動する（扉背面から見るとキーシリンダ１２５の回転部分が反時計回り方向に回るため）。これにより、連動杆１２２の鉤金具１２３，１２４の先端鉤部が下方に移動し、外枠２に対してドアブロック４が閉じている場合に、鉤金具１２３，１２４と外枠２側の鉤受け部（図示省略）との係止状態（すなわち施錠状態）が解除される。そして、外枠２に対してドアブロック４が開放可能となる。
【０１０１】
下枠部１０４には、図９，図１０に示すように、前扉体１１に設けた下皿排出口７４に連通する連通口１３１が設けられるとともに、スピーカ穴７５から前方に露出するスピーカ１３２が設けられている。その他、この下枠部１０４には、後方に突出する突起柱部１３３，１３４が設けられている。
【０１０２】
内枠１２の背面側には、ドアブロック４の背面側に取り付けられる受皿ブロック５や払出ブロック７を固定するための固定手段が複数箇所に設けられている。すなわち、受皿ブロック５用の固定手段として、計５箇所の鉤金具（鉤金具１３６ａ，１３６ｂ，１３６ｃ，１３６ｄ，１３６ｅ）が設けられている。また、払出ブロック７用の固定手段として、計４箇所の鉤金具（鉤金具１３７ａ，１３７ｂ，１３７ｃ，１３７ｄ）が設けられている。
【０１０３】
内枠１２は、前扉体１１に対してネジ等の締結具を用いて取付固定される。その状態を図８に示す。この場合、前扉体１１の背面側に設けた突出板９８と内枠１２の下枠部１０４の上端部との間には、左右方向に延びる空間部が形成され、その空間部に、後述する受皿ブロック５の上皿１５１が組み込まれるようになっている。
【０１０４】
（受皿ブロック５の説明）
次に、受皿ブロック５について説明する。図１１は受皿ブロック５の正面図、図１２は受皿ブロック５の平面図、図１３は受皿ブロック５の背面図、図１４，図１５は受皿ブロック５の分解斜視図（図１４は前方から見た図、図１５は後方から見た図）である。
【０１０５】
受皿フロック５は、順次取打込まれる遊技球を一時的に貯留する機能を有する上皿１５１と、払出装置（後述する図４５の払出装置６０８）などから供給される遊技球を上皿１５１や下皿７１などに流通させる機能を有する球通路形成体１５２と、遊技球の取込機能を有する取込ユニット１５３とを備えるものであり、その他、電気的な構成として電源装置１５６と払出制御装置１５７とを有してなる払出制御ユニット１５５を備えている。
【０１０６】
（上皿１５１の説明）
上皿１５１は、島設備の球貸し装置から貸し出された遊技球や、後述する図４５の払出装置６０８より払い出された遊技球を一旦貯留するための皿部材を構成するものである。図１６は、上皿１５１とそれに付随して設けられる部材とを示す分解斜視図であり、図１７は、上皿１５１の平面図である。
【０１０７】
上皿１５１は横長の樋状に成形されており、底板部１６１とその周縁部を囲む周壁部１６２とよりなる。これら底板部１６１と周壁部１６２とにより囲まれて遊技球貯留領域が形成されている。周壁部１６２のうち奥側の壁部には、正面から見て左側の位置に排出口１６３が設けられている。また、底板部１６１には、正面から見て右側の位置に開口部１６４が設けられている。
【０１０８】
底板部１６１は、その底板部１６１が前後三段に形成されている。この場合、底板部１６１において、前側領域（図１７のＲ１の領域）が最も高位となり、次に後側領域（図１７のＲ２の領域）が高位となり、次にその後側領域（図１７のＲ３の領域）が最も低位となっている。したがって、排出口１６３から排出された遊技球は領域Ｒ３の排出口１６３側（上流側）から開口部１６４側（下流側）に流れる。
【０１０９】
上皿１５１の領域Ｒ３の最下流部には、２つの仕切部１６７，１６８が設けられており、この仕切部１６７，１６８に仕切られることで三列の案内通路１７１，１７２，１７３が形成されている。これら各案内通路１７１〜１７３は、開口部１６４に通ずるように設けられており、遊技球を各一列に整列する整列通路部を構成する。
【０１１０】
上皿１５１には、開口部１６４と各案内通路１７１〜１７３の一部とを上方から覆うようにしてカバー部材１７５が取り付けられる。カバー部材１７５は、各案内通路１７１〜１７３の高さ方向の寸法を概ね遊技球１個分に規制するための部材であり、このカバー部材１７５を上皿１５１に取り付けることにより、各案内通路１７１〜１７３において遊技球が１つずつ取り込まれるようになる。カバー部材１７５は、その下方の遊技球の有無を視認可能にすべく透明材料にて成形されている。
【０１１１】
周壁部１６２のうち手前側の壁部には凹部１７６が形成されており、その凹部１７６により、図１に示すように受皿ブロック５をドアブロック４に組み付けた際におけるベットスイッチ取付坂部３２と上皿１５１との干渉が回避されるようになっている。
【０１１２】
また、上皿１５１の底部には、後述する取込ユニット１５３の排出ゲート部材３４０を操作して上皿１５１内の貯留球を下皿７１に排出するための排出操作伝達装置１８０が取り付けられる。ここで、排出操作伝達装置１８０の構成を図１８、図１９を用いて説明する。
【０１１３】
（排出操作伝達装置１８０の説明）
図１８，図１９に示すように、排出操作伝達装置１８０において、ケース体１８１には２つの軸部１８２，１８３が設けられており、その軸部１８２，１８３にはそれぞれ第１リンク片１８４と第２リンク片１８５が回動可能に支持されている。これら第１，第２リンク片１８４，１８５は各々の一部分が互いに連結されており、第１リンク片１８４に連動して第２リンク片１８５が回動する。第１リンク片１８４には引張バネ１８６が設けられており、第１リンク片１８４は引張バネ１８６のバネカにより常に同方向（図では反時計回り方向）に付勢されている。また、ケース体１８１の手前側端面には、左右方向に移動可能な操作レバー１８８が設けられており、この操作レバー１８８に一体に設けられた支柱部１８８ａが第１リンク片１８４に設けられた孔部１８４ａに挿通されている。故に、操作レバー１８８のスライド操作に伴い第１リンク片１８４が軸部１８２を中心に回動する。
【０１１４】
上記構成の排出操作伝達装置１８０では、遊技者等により操作レバー１８８が図示の位置から左方（図１９のＰ１方向）にスライド操作されることにより、第１リンク片１８４が引張バネ１８６のバネカに抗して図の時計回り方向（図１９のＰ２方向）に回動するとともに、第２リンク片１８５が反時計回り方向に回動（図１９のＰ３方向）する。これにより、第２リンク片１８５の回動先端部が後方側（図１９のＰ４方向）へと移動する。また、操作レバー１８８の操作が解除されると、引張バネ１８６のバネカにより第１リンク片１８４が図の反時計回り方向に回動するとともに、第２リンク片１８５が時計回り方向に回動する。これにより、排出操作伝達装置１８０が元の状態に復帰する。こうした排出操作伝達装置１８０の動作により、後述する取込ユニット１５３の排出ゲート部材３４０が操作され、取込ユニット１５３を介しての遊技球の排出（実際には遊技球の下皿７１への排出）が行われるようになっている。
【０１１５】
（球通路形成体１５２の説明）
次に、球通路形成体１５２について説明する。図２０及び図２１は、球通路形成体１５２とそれに付随して設けられる部材とを示す分解斜視図である。
【０１１６】
球通路形成体１５２の背面側には、遊技球を下皿７１に排出するための下皿排出通路２０１と、遊技球を遊技機外部（遊技ホールの島設備）に排出するための外部排出通路２０２とが並列に形成されている。下皿排出通路２０１は、球通路形成体１５２の前面側に設けた排出口２０３に通じており、下皿排出通路２０１を流下する遊技球は、排出口２０３を介して下皿７１へと排出されることとなる。また、下皿排出通路２０１と外部排出通路２０２の最上流部付近には、上皿１５１の排出口１６３に通ずる排出通路２０４が形成されている。
【０１１７】
球通路形成体１５２の背面側には、下皿排出通路２０１と外部排出通路２０２とを塞ぐようにして通路力バー部材２０６が取り付けられるとともに、これら各通路２０１，２０２の最上流部において、遊技球を、下皿排出通路２０１、外部排出通路２０２、排出通路２０４のいずれかに分配するための遊技球分配部材２１０が取り付けられる。この遊技球分配部材２１０には、３つの通路２１１，２１２，２１３が設けられており、遊技球分配部材２１０が球通路形成体１５２に取り付けられた状態では、通路２１１が下皿排出通路２０１に連通され、通路２１２が外部排出通路２０２に連通され、通路２１３が排出通路２０４に連通される。
【０１１８】
球通路形成体１５２において下皿排出通路２０１の最下流部よりも先方には、取込ユニット１５３を収容するための略正方形状の開口部２１５が形成されている。その開口部２１５の下方には、遊技球が取込ユニット１５３にて取り込まれた後排出される球排出室２１６が形成されている。球排出室２１６は外部誘導通路２１７に通じており、球排出室２１６に排出された遊技球は、更に外部誘導通路２１７を介して遊技球外部（遊技ホールの島設備）に排出される。また、球排出室２１６の側方には、遊技者による排出操作（排出操作伝達装置１８０のレバー操作）に伴い排出される遊技球を排出口２０３に導くための排出誘導通路２１８が形成されている。
【０１１９】
球通路形成体１５２の前面側には、上皿１５１の底面に重なるようにして球留め装置２４０が設けられている。図２２は球留め装置２４０の単体の構成を示す平面図であり、図２３は球留め装置２４０を球通路形成体１５２に装着した状態を後方側から示す背面図である。なお、球留め装置２４０の動作状態として、図２２の（ａ）と図２３の（ａ）とが対応し、図２２の（ｂ）と図２３の（ｂ）とが対応している。
【０１２０】
球留め装置２４０は、球通路形成体１５２に固定される本体部２４１と、該本体部２４１上に載置され図２２の左右方向に往復動可能な可動部２４２と、可動部２４２を左右方向に往復動させるべく回動操作される操作レバー部２４３とを有している。そして、この球留め装置２４０は、操作レバー部２４３が後側になるようにして球通路形成体１５２に組み付けられている。
【０１２１】
可動部２４２には、同一方向に並ぶようにして３つのアーム部２４４，２４５，２４６が形成されている。各アーム部２４４〜２４６はそれぞれ二股に分岐されており、その先端には上方（図２２では紙面手前側）に折れ曲がるようにして起立する各２個ずつの起立部２４７，２４８，２４９が形成されている。可動部２４２に形成された各アーム部２４４〜２４６の間隔は、上皿１５１に形成した３つの案内通路１７１〜１７３に合致しており、図１７に示すように、各案内通路１７１〜１７３に通じる開口部１６４から各アーム部２４４〜２４６の起立部２４７〜２４９が現出するようになっている。
【０１２２】
操作レバー部２４３は、その細部２５１が本体部２４１に支持されており、概ね９０度の角度範囲内で回動操作可能となっている。軸部２５１には、その軸心から９０度の角度で放射状に延びる突起片２５２ａ，２５２ｂが形成されており、その突起片２５２ａ，２５２ｂが可動部２４２に形成されたギャップ２５３内に収容されている。ギャップ２５３の左右方向の幅は、ほぼ軸部２５１の直径と突起片２５２ａ又は２５２ｂの長さとを合わせた寸法となっている。この場合、図２３の（ａ）の状態では一方の突起片２５２ｂの先端がギャップ２５３の内壁に当たり、操作レバー部２４３の回動操作によって図２３の（ｂ）の状態に移行すると、他方の突起片２５２ａの先端がギャップ２５３の内壁に当たることとなる。これにより、可動部２４２が左右方向に移動する。図２２で言えば、可動部２４２の左右方向の移動によって、可動部２４２の各アーム部２４４〜２４６の先端突出量が（ａ），（ｂ）で異なるものとなっている。（ａ）では先端突出量＝Ｌ１であるのに対し、（ｂ）では先端突出量＝Ｌ２となっている（Ｌｌ＜Ｌ２）。
【０１２３】
操作レバー部２４３には、球通路形成体１５２の開口部２１５に装着された取込ユニット１５３をその装着状態で保持するためのホールド板片２５４が設けられている。このホールド板片２５４は、軸部２４３の軸心から延びる舌形状をなすものであり、操作レバー部２４３が回動操作されることにより、ホールド板片２５４が図２３の（ａ），（ｂ）に示す各位置に操作されるようになっている。
【０１２４】
ここで、操作レバー部２４３の操作位置と取込ユニット１５３との相互の関係を説明する。操作レバー部２４３が図２３の（ａ）に示す状態にある場合、操作レバー部２４３に一体的に設けられたホールド板片２５４の回動先端部が取込ユニット１５３の背面に当たっている。これが取込ユニット保持位置（ロック位置）である。この状態では、取込ユニット１５３が球通路形成体１５２に装着された状態で保持され、取込ユニット１５３の取り外しができないようになっている。これに対し、操作レバー部２４３が図２３の（ｂ）に示す状態に移行すると、ホールド板片２５４の回動先端部が取込ユニット１５３の背面に当たる状態が解除される。これが取込ユニット取り外し位置（アンロック位置）である。これにより、取込ユニット１５３の取り外しが可能となっている（図２３の（ｂ）には取込ユニット１５３を取り外した状態を図示している）。
【０１２５】
図２４には、球留め装置２４０の操作状態と遊技球の流れとの関係を示す。図２４において、（ａ）は通常の遊技状態を示しており、当該状態は図２３の（ａ）や図２２の（ａ）に対応している。また、（ｂ），（ｃ）は取込ユニット１５３の取り外し可能状態及び取り外し後状態を示しており、当該状態は図２３の（ｂ）や図２２の（ｂ）に対応している。
【０１２６】
図２４の（ａ〉の状態では、図２２の（ａ）に示したとおり可動部２４２の各アーム部２４４〜２４６の先端突出量が比較的少なく、それ故に上皿１５１の案内通路１７１〜１７３から供給される遊技球の流れが阻止されることはない。したがって、遊技球が次々と取込ユニット１５３側に送り込まれる。
【０１２７】
これに対し、図２４の（ｂ）の状態では、図２２の（ｂ）に示したとおり可動部２４２の各アーム部２４４〜２４６の先端突出量が比較的大きく、それ故に上皿１５１の案内通路１７１〜１７３から供給される遊技球の流れが各アーム部２４４〜２４６の先端部（起立部２４７〜２４９）で阻止される。この状態では、遊技球が取込ユニット１５３側に送り込まれることがないため、（ｃ）に示すように、取込ユニット１５３を取り外したとしても、上皿１５１内の遊技球が落下することが防止される。
【０１２８】
図２１や図２２に示すように、球通路形成体１５２の背面側には、本受皿ブロック５をドアブロック４に装着した状態で固定するための装着固定手段（ロック部材２６１ａ，２６１ｂ，２６１ｃ，２６１ｄ，２６１ｅ）が複数箇所に設けられている。すなわち、ロック部材２６１ａ〜２６１ｅは、内枠１２の鉤金具１３６ａ〜１３６ｅ（図１０参照）に対応する位置に計５箇所設けられ、それぞれ各鉤金具１３６ａ〜１３６ｅに係止される係止片を有して構成されている。この場合、鉤金具１３６ａ〜１３６ｅに対して各ロック部材２６１ａ〜２６１ｅの係止片を係止状態にすることでドアブロック４に受皿ブロック５が装着固定され、その係止状態を解除することでドアブロック４から受皿ブロック５が取り外しできるようになっている。
【０１２９】
球通路形成体１５２の前面側には、内枠１２に設けた突起柱部１３３，１３４を受けるための支柱受け部２６３，２６４が形成されている。また、球通路形成体１５２の上部には、横長薄板状のシート板２６５が取り付けられる。このシート板２６５は、球通路形成体１５２に上皿１５１を装着した状態で球通路形成体１５２の上部に取り付けられる。
【０１３０】
シート板２６５によれば、上皿１５１の奥側一部に上蓋が設けられるようになる（図７等参照）。このシート板２６５による上皿１５１の被蓋部分は、受皿ブロック５をドアブロック４に装着した状態で上皿１５１がドアブロック４の内部に隠れる部位に相当している。つまり、受皿ブロック５をドアブロック４に装着した状態では、ドアブロック４（前扉体１１）に設けられた開口部４１の前後方向の幅寸法（Ａ）と上皿１５１前後方向の幅寸法（Ｂ）とがＡ＜Ｂであるため（Ａ，Ｂは左右方向の同一箇所での寸法比較）、上皿１５１の奥側一部がドアブロック４の内側に没入することとなる。この場合、上皿１５１においてドアブロック４内側に投入した部位が上方に開放されたままであると、上皿１５１の手前側から奥側に入れた指や不正工具等が上皿奥側の上方開放部分を通じて遊技機内部に差し入れられ、その遊技機内部において不正行為などが行われるといった不都合が懸念される。この点、上記のとおりシート板２６５が設けられることにより、指や不正工具等を上皿１５１を通じて遊技機内部に差し入れることによる不正行為が抑制できる。要するに、シート板２６５は、上皿１５１と遊技機内部の空間（前扉体１１の内側領域）との間を遮蔽する遮蔽部材となっている。
【０１３１】
なお、シート板２６５は透明板で構成される。したがって、上皿１５１の一部がシート板２６５で隠されたとしても上皿１５１の内部確認（汚れや破韻等の確認を含む）が容易となる。
【０１３２】
（取込ユニット１５３の説明）
取込ユニット１５３は、遊技者による操作に基づき遊技球を所定個数ずつ取り込むための取込手段を構成するものであり、該取込ユニット１５３による所定個数分の遊技球の取込により毎回の遊技（ゲーム）の開始条件が成立し、遊技開始の準備が整えられるようになっている。
【０１３３】
図２５は取込ユニット１５３を手前側から見た斜視図、図２６は同取込ユニット１５３を後方側から見た斜視図、図２７，図２８は同取込ユニット１５３の分解斜視図である。取込ユニット１５３には３個の取込装置３０１，３０２，３０３が重なるようにして設けられており、取込ユニット１５３は全体として略立方体形状となっている（以下の説明では、図２５において手前側に位置する取込装置３０１を「第１取込装置」、中央に位置する取込装置３０２を「第２取込装置」、奥側に位置する取込装置３０３を「第３取込装置」とも言う）。
【０１３４】
各取込装置３０１〜３０３の上面には、上方に開放されて外部に路出した状態で入口通路３０５，３０６，３０７が三列に形成されている。これら入口通路３０５〜３０７は、取込ユニット１５３における遊技球入口部を構成するものであり、受皿ブロック５としての完成状態では、上皿１５１から供給される遊技球が先ずは入口通路３０５〜３０７に案内され、その後一列に並んだ状態で順次取り込まれる。同完成状態では、上皿１５１に設けた開口部１６４（図１７参照）を通じて上方から入口通路３０５〜３０７が視認可能となっている。取込ユニット１５３の側面には各取込装置３０１、３０３を結合させるための結合板３０８が取り付けられている。
【０１３５】
（取込装置３０１〜３０３の説明）
次に、各取込装置３０１〜３０３の構成を説明する。ただし、各取込装置３０１、３０３は、概ね同様の構成をしているため、ここでは基本的に第１取込装置３０１を別に挙げて説明する。図２９は、取込装置３０１の内部構造を示す断面図、図３０，図３１は、取込装置３０１を分解して示す斜視図である。なお、以下の説明では便宜上、図２９に示す状態で上下左右の各方向を記載する。
【０１３６】
取込装置３０１は、合成樹脂成型品よりなる表裏一対のハウジング部材３１１，３１２を備えている。これら両ハウジング部材３１１，３１２がネジ等により結合されることにより略四角箱状の筐体が形成され、その内部空間に、後述する遊技球通路が形成されるとともに該通路を開閉するための開閉ゲート機構などが収容されるようになっている。各ハウジング部材３１１，３１２は、カーボン入りの黒色の樹脂材料により成型されている。以下説明の便宜上、ハウジング部材３１１を「第１ハウジング部材」、ハウジング部材３１２を「第２ハウジング部材」ともいう。
【０１３７】
因みに、各ハウジング部材３１１，３１２は透明な樹脂材料で成形されていても良い。各ハウジング部材３１１，３１２を透明化することにより、両ハウジング部材３１１，３１２の結合を外すことなく、取込装置内部の遊技球通路や開閉ゲート機構などの他、通路内に貯留された遊技球を視認することができるようになる。
【０１３８】
第１ハウジング部材３１１及び第２ハウジング部材３１２の上面部には、それぞれ通路壁３１３，３１４が形成されており、両ハウジング部材３１１，３１２を結合させることで、相対向する通路壁３１３，３１４の間に入口通路３０５が形成される。入口通路３０５の底面は図２９の左側ほど僅かに下方に傾斜している。
【０１３９】
第１ハウジング部材３１１他の通路壁３１３には円弧状の凹み部３１３ａが形成される一方、第２ハウジング部材３１２側の通路壁３１４には凹み部３１３ａに対向する位置に三角山状の突起部３１４ａが形成されている。これら各通路壁３１３，３１４の凹み部３１３ａ及び突起部３１４ａは、遊技球の流れを一定に整えるための整流部３１０を構成するものである。入口通路３０５を下流側に流れる遊技球は、整流部３１０に達すると、先ず突起部３１４ａに衝突し、その後凹み部３１３ａの内壁に衝突することで流れの向き（進路）を変更しながら流れる。こうして、入口通路３０５の整流部３１０（凹み部３１３ａ及び突起部３１４ａ）において遊技球の流れの向きが変えられることで、遊技球の流れの勢いが減じられ、その後の流下速度が低減される。したがって、整流部３１０の通過後における後述する遊技球検出の際の検出ミスが低減される。また、多数の遊技球が数珠繋ぎとなって取込装置３０１に取り込まれた場合に、整流部３１０を通過すると、速度差によって隣接する遊技球間に間隔ができることから、複数の遊技球を１個の遊技球として誤検出する不具合もなくなる。すなわち、整流部３１０の存在により、その通過後の遊技球検出が確実なものとなっている。
【０１４０】
取込装置３０１には、入口通路３０５の下流側において、第１ハウジング部材３１１と第２ハウジング部材３１２とにより囲まれるようにして取込通路３１５と排出通路３１６とが設けられている。これら取込通路３１５及び排出通路３１６は、入口通路３０５と同様に、遊技球を一列で通過させるに足りるだけの通路幅を有する。取込通路３１５は、入口通路３０５に連続して設けられ、その途中にて鉛直方向に折れ曲がるようにして形成されている。遊技者により所定の遊技開始操作が行われた際、毎回の遊技の開始条件とされる所定個数の遊技球がこの取込通路３１５を通じて取り込まれる。また、排出通路３１６は、取込通路３１５の折れ曲がり部分（コーナー部分）から当該取込通路３１５より分岐して設けられている。遊技終了に伴う精算時などにおいては、本取込装置３０１や上皿１５１に残留している遊技球がこの排出通路３１６を通じて遊技者に返還される（すなわち、上皿１５１等の球抜きが行われる）。
【０１４１】
なお、第１ハウジング部材３１１と第２ハウジング部材３１２は、厚さ方向の寸法が異なるものとなっており、入口通路３０５、取込通路３１５及び排出通路３１６は、大部分が第１ハウジング部材３１１側に形成されるようになっている。これにより、遊技球が実際に接触する経路は、両ハウジング部材３１１，３１２の境界部分（接合部分）から外れた部位となり、境界部分に溜まったゴミやほこり等により遊技球の流れが阻害されるといった不都合が回避されるようになっている。
【０１４２】
また、第１，第２ハウジング部材３１１，３１２には、入口通路３０５及び取込通路３１５に沿って一筋の突条部３１７が設けられている。この突条部３１７は、入口通路３０５及び取込通路３１５を通過する遊技球の外周面に接触するようにして通路の中央部（入口通路３０５にあっては高さ方向の中央部、取込通路３１５にあっては左右幅方向の中央部に設けられている。突条部３１７の高さ（通路内部への突出寸法）は０．５ｍｍ程度であり、これにより入口通路３０５及び取込通路３１５の通路幅が狭められるようになっている。つまり、入口通路３０５及び取込通路３１５は基本的に通路幅が１２ｍｍ程度であるが、突条部３１７を設けることにより、実質的な通路幅が１１．５ｍｍ程度に狭められている。これにより、入口通路３０５及び取込通路３１５の内壁と遊技球との隙間間隔（遊び）を減らすことができ、安定した状態で遊技球が流下することとなる。特に、取込通路３１５においては、後述する遊技球検出が行われるため、その検出ミスを低減させることができる。ただし、突条部３１７は、第１，弟２ハウジング部材３１１，３１２のいずれか一方にのみ設けられる構成であっても良い。整流部３１０における突条部３１７の設置は任意である。
【０１４３】
ハウジング内部空間において取込通路３１５の側方には、当該取込通路３１５の鉛直方向部分に沿うようにして取込ゲート部材３２０が設けられている。取込ゲート部材３２０は、支軸３２１により回動可能に支持されており、その支軸３２１を支点とする回動により、該取込ゲート部材３２０の先端部に設けた爪部３２０ａが取込通路３１５に対して出没する。このとき、取込通路３１５の通路壁には通路切欠部３２２が形成されており、その通路切欠部３２２を介して取込ゲート部材３２０の爪部３２０ａが出没する。取込通路３１５に対して取込ゲート部材３２０の爪部３２０ａが突出した状態である場合、取込通路３１５を介しての遊技球の通過が阻止される。また、取込通路３１５に対して取込ゲート部材３２０の爪部３２０ａが没入した状態である場合、取込通路３１５を介しての遊技球の通過が許容される。
【０１４４】
かかる場合、取込ゲート部材３２０の爪部３２０ａの出没位置が取込通路３１５におけるコーナー部分の直ぐ下流位置であるため、換言すれば通路切欠部３２２が取込通路３１５におけるコーナー部分の直ぐ下流位置に形成されているため、取込ゲート部材３２０の爪部３２０ａが通路内に突出した状態（通過阻止状態）において、取込通路３１５のコーナー部まで流れてきた遊技球が該取込通路３１５の鉛直部分に流れ込むことがない構成となっている。
【０１４５】
ハウジング内部空間には、取込ゲート部材３２０の駆動源としてソレノイド３２５が配設されている。ソレノイド３２５は、本体部３２６と出力軸３２７とを主要構成部品として備えており、本体部３２６が通電されることにより出力軸３２７が伸縮方向に移動する。当該ソレノイド３２５は、取込ゲート部材３２０の右方において、出力軸３２７が下方へと突き出るように配訳されている。また、ソレノイド３２５には、出力軸３２７を伸長状態で保持するためのコイルバネ３２８が設けられている。なお、ソレノイド３２５は、ソレノイドカバー３２９により第１ハウジング部材３１１に固定されている。
【０１４６】
ソレノイド出力軸３２７の先端部にはガイド３３１が取り付けられている。ガイド３３１には回動片３３２の一部が係合されており、同回動片３３２の他部が取込ゲート部材３２０の後端部に駆動連結されている。符号３３３は、回動片３３２のほぼ中央部に設けられ該回動片３３２を回動可能に支持する支軸である。
【０１４７】
本構成によれば、ソレノイド３２５への通電がない場合には、図示の如くコイルバネ３２８の付勢力によって出力軸３２７が伸長した状態で保持され、取込ゲート部材３２０の爪部３２０ａが取込通路３１５内に突出した状態とされる。これにより、取込通路３１５が閉鎖される。一方、ソレノイド３２５が通電されると、コイルバネ３２８の付勢力に抗して出力軸３２７が縮み方向に移動する。よって、ガイド３３１及び回動片３３２を介して取込ゲート部材３２０が回動し（図２９では時計回り方向に回動し）、取込ゲート部材３２０の爪部３２０ａが取込通路３１５外に引っ込んだ状態とされる。これにより、取込通路３１５が開放される。また、ソレノイド３２５への通電を中止すると、コイルバネ３２８の付勢力によって出力軸３２７が伸長状態となり、取込ゲート部材３２０の爪部３２０ａが取込通路３１５内に突出した状態に戻る。
【０１４８】
一方、第１，第２ハウジング部材３１１，３１２において排出通路３１６の入口位置には、それぞれ貫通孔３３７，３３８が設けられており、その貫通孔３３７，３３８を前後方向に貫通するようにして排出ゲート部材３４０が設けられている。排出ゲート部材３４０は、取込装置３０１〜３０３に個別に設けられるのではなく、全取込装置３０１〜３０３に共通に設けられるものとなっており、該排出ゲート部材３４０の作動状態によって、各取込装置３０１〜３０３において同時に遊技球の排出（球抜き）が許容又は阻止されるようになっている。
【０１４９】
ここで、排出ゲート部材３４０の詳細を図３２に基づいて説明する。排出ゲート部材３４０は、全体として略長方形状をなしており、３箇所に略正方形状の開口部３４１，３４２，３４３が形成されている。これら開口部３４１〜３４３は各取込装置３０１〜３０３に設けられた排出通路３１６にそれぞれ対応するものであり、一定間隔を隔ててそれぞれ設けられている。なお、開口部３４１〜３４３は排出通路３１６の一部を構成する。この場合、排出ゲート部材３４０がその長手方向（取込ユニット１５６の前後方向）に移動することにより、排出通路３１６が閉鎖又は開放の状態とされる。すなわち、図３３の動作説明図において、排出ゲート部材３４０が（ａ）に示す位置にある場合、排出ゲート部材３４０の壁板部により各取込装置３０１〜３０３の排出通路３１６が閉鎖され、当該通路３１６を通じての遊技球の排出が阻止される。また、排出ゲート部射３４０が（ｂ）に示す位置に移動すると、排出ゲート部材３４０の開口部３４１〜３４３により各取込装置３０１〜３０３の排出通路３１６が一斉に開放され、当該通路３１６を通じての遊技球の排出が許容される。
【０１５０】
開口部３４１〜３４３の下方には、それぞれ球案内突部３４４，３４５，３４６が形成されている。この球案内突部３４４〜３４６の上面は、各開口部３４１〜３４３の底部上面に連続して同一角度で設けられており、その角度は排出通路３１６の入口部の傾斜角度に合致している。これにより、遊技球が開口部３４１〜３４３を介して排出通路３１６に流入する際には、球案内突部３４４〜３４６上を転がりながら遊技球が通過し、排出通路３１６への遊技球の流入がスムーズに行われることとなる。
【０１５１】
排出ゲート部材３４０の一方の端部にはバネ受け部３４７が形成され、他方の端部にはロッド部３４８が形成されている。かかる場合、図２７等に示すように、第３取込装置３０３にカバー部材３５１が設けられ、そのカバー部材３５１と排出ゲート部材３４０のバネ受け部３４７との間にコイルバネ３５２が組み込まれる。なお、符号３５３はコイルバネ３５２を収容するためのバネ収容部である。符号３５４は、本取込ユニット１５３における電気配線等を一括して集め、主制御装置等に対して電気的に接続可能とする中継基板である。
【０１５２】
排出ゲート部材３４０は、コイルバネ３５２の付勢力によって一方向に常に付勢される。このとき実際には、排出ゲート部材３４０はコイルバネ３５２の付勢力により図３３の（ａ）の状態で保持され、ゲート操作部３４８から力が加わると、排出ゲート部材３４０がコイルバネ３５２の付勢力に抗して図３３の（ｂ）の状態に移行する。
【０１５３】
図２５等に示すように、取込ユニット１５３において第１取込装置３０１側にはロッド部３４８が突出している。このロッド部３４８の先端部は、前述した排出操作伝達装置１８０の第２リンク片１８５（図１８参照）に当接するようになっており、当該排出操作伝達装置１８０において操作レバー１８８が操作され、それに伴い各リンク片１８４，１８５が動作すると、その動作がロッド部３４８に伝達される。これにより、排出ゲート部材３４０が動作する。
【０１５４】
排出ゲート部材３４０の一方の端部において、バネ受け部３４７の下方には、排出ゲート部材３４０の長手方向に延びる突起部３５５が形成されている。また、排出ゲート部材３４０の一端側に設けられるカバー部材３５１には排出ゲート検出センサ３５６が設けられる（図２７参照）。この場合、前述のとおりコイルバネ３５２の付勢力によって排出ゲート部材３４０が一方向に常に付勢されている状態では、排出ゲート検出センサ３５６によって突起部３５５が検出されることはない。これに対し、排出ゲート部材３４０がコイルバネ３５２の付勢力に抗して移動することで、排出ゲート検出センサ３５６によって突起部３５５が検出される。つまり、排出ゲート検出センサ３５６は、排出ゲート部材３４０の操作状態（操作位置）を検出するための排出操作検出手段を構成するものとなっている。
【０１５５】
また、第１取込装置３０１には、取込通路３１５における遊技球の通過を検出するセンサユニット３７０が設けられている。センサユニット３７０の構成を図３０，図３１を用いて説明する。このセンサユニット３７０は、取込通路３１５を通過する遊技球数をカウントするための遊技球カウント手段を構成するものであり、発光素子と受光素子とからなる周知の光学式センサを備える。
【０１５６】
センサユニット３７０は、略コ字形状をなしており、第１，第２ハウジング部材３１１，３１２に跨るようにして組み付けられている。詳細には、センサユニット３７０は、取込装置３０１の厚さ方向に延びるセンサ本体部３７１と、該センサ本体部３７１の両端から各ハウジング部材３１１，３１２の外壁面に沿って取込通路３１５側に延びるアーム部３７２，３７３とを有している。センサ本体部３７１にはセンサ回路基板〈図示略〉が収容されており、そのセンサ本体部３７１の背面部にはセンサ回路基板上に設けたコネクタ端子３７４を外部に露出させるためのコネクタ穴３７１ａが形成されている。
【０１５７】
アーム部３７２，３７３のうち一方には発光素子が収容されるとともに、他方には受光素子が収容されている。また、アーム部３７２，３７３の先端部には、互いに内側となる部位に上下一対のセンサ検出孔３７６，３７７が形成されている。この場合、アーム部３  ７２，３７３内には各２個ずつの発光素子と受光素子が収容されており、これら各素子はセンサ検出孔３７６，３７７を通じて発光及び受光を行うようになっている。
【０１５８】
第１，第２ハウジング部材３１１，３１２の外壁面には、センサユニット３７０の各アーム部３７２，３７３を設置するための嵌合溝３７８，３７９が形成されている。嵌合溝３７８，３７９には上下一対の透孔３７８ａ，３７９ａが形成されている。各透孔３７８ａ，３７９ａは、第１，弟２ハウジング部材３１１，３１２を接合した状態で各々向き合うよう配置されている。そして、ハウジング接合状態で、各ハウジング部材３１１，３１２にセンサユニット３７０が組み付けられる場合には、アーム部３７２，３７３が各々対応する嵌合溝３７８，３７９に嵌合されるようにしてセンサユニット３７０がハウジング部材３１１，３１２に組み付けられる。この状態では、各アーム部３７２，３７３の先端部に設けたセンサ検出孔３７６，３７７の位置と、各ハウジング部材３１１，３１２の嵌合構３７８，３７９に設けた透孔３７８ａ，３７９ａの位置とが合致し、それらが向き合うようにして配置される。
【０１５９】
図２９に示すように、ハウジング内部において、透孔３７８ａは取込通路３１５内で中心から幾分オフセットした位置に設けられている（図示は略すが、透孔３７９ａも同様）。この透孔３７８ａ（３７９ａ）の位置がセンサユニット３７０による遊技球検出位置である。この場合特に、透孔３７８ａ（３７９ａ）は、取込ゲート部材３２０の先端部に形成した爪部３２０ａの真下位置（図２９において取込通路３１５の右オフセット位置）に設けられており、取込ゲート部材３２０の爪部３２０ａが投入側に移動しない限りセンサユニット３７０により遊技球が検出されることはないようになっている。仮に、透孔３７８ａ（３７９ａ）が取込通路３１５において逆側（図２９において取込通路３１５の左オフセット位置）に設けられた場合を想定すると、取込ゲート部材３２０の爪部３２０ａが突出位置にある状態での遊技球誤検出（排出通路３１６を通じての遊技球排出時の遊技球誤検出も含む）を防止するには透孔３７８ａ（３７９ａ）の位置を図示の位置よりも下方に下げる必要が生じるが、本遊技機１の上記構成によれば、透孔３７８ａ（３７９ａ）を取込ゲート部材３２０の爪部３２０ａの近傍に配置することが可能となる。したがって、取込ゲート部材３２０の開放により流下する遊技球をいち早く検出することが可能となる。
【０１６０】
取込ゲート部材３２０が開放された状態で遊技球が取り込まれる際、センサユニット３７０において上下の各センサ素子（発光素子＋受光素子）では、先に上流側のセンサ素子で遊技球が検出され、その後下流側のセンサ素子で遊技球が検出される。これら各センサ素子による検出信号は、遊技球の取込を管理する後述の主制御装置５０５に順に出力される。この場合、主制御装置５０５では、各センサ素子による遊技球検出信号によって正常に遊技球の取込が行われたかどうかが判定される。具体的には、所定の規定時間内に、上流側のセンサ素子→下流側のセンサ素子の順で遊技球の検出が行われた場合のみ、正常に遊技球の取込が行われたと判定される。
【０１６１】
仮に、上流側のセンサ素子による遊技球検出から下流側のセンサ素子による遊技球検出までの所要時間が規定時間よりも長い場合や、正常時とは逆に下流側のセンサ素子→上流側のセンサ素子の順で遊技球の検出が行われた場合には異常とみなされ、その旨が報知されるとともにそれ以降の遊技が停止される。したがって、例えば、遊技球やその他ダミー被検出物にひも等を付けて上下させることにより、あたかも複数の遊技球が取り込まれたようにするなどの不正行為が防止できるようになっている。
【０１６２】
上記のように、センサユニット３７０では各アーム部３７２，３７３のうち−方が発光部、他方が受光部となっており、それら発光部と受光部とが一体で設けられている。これにより、発光素子と受光素子との位置合わせ精度を高めることができ、遊技機の検出精度を良好なものとすることができる。また、各アーム部３７２，３７３を連結するセンサ本体部３７１にセンサ回路基板を設けるとともに、該センサ回路基板上に設けたコネクタ端子３７４によって外部基板との電気的な接続を可能としたため、発光素子や受光素子に繋がる信号線を統合してまとめることができ、さらに外部基板に対する配線の接続も容易なものとなる。
【０１６３】
また、取込通路３１５の最下流部には、取込ゲート部材３２０を通過した遊技球をセンサユニット３７０で検出した後、同遊技球を再度検出するための下流側取込センサ３８０が設けられている。この下流側取込センサ３８０は磁気検出タイプの近接センサにて構成されており、遊技球の通過に伴う磁界の変化により遊技球の通過を検出する。すなわち、板状のセンサ本体部３８１には貫通孔３８１ａが設けられており、センサ本体部３８１では貫通孔３８１ａを遊技球が通過する際の磁界の変化が検出されて電気信号として出力される。貫通孔３８１ａは略真円状をなしており、その直径は取込通路３１５の幅寸法に概ね一致している。センサ本体部３８１にはコネクタ端子３８２が設けられている。
【０１６４】
下流側取込センサ３８０による検出信号は、センサユニット３７０の検出信号と同様、後述する主制御装置５０５に対して出力される。この場合、主制御装置５０５では、センサユニット３７０の検出信号と下流側取込センサ３８０の検出信号とに基づいて今回の遊技球取込の検出結果（センサユニット３７０による取込判定の結果）が正規なものかどうか、すなわち不正なものでないかどうかが判定される。具体的には、センサユニット３７０による遊技球カウント数（例えば、一方のセンサ素子の検出結果による遊技球カウント数）と、下流側取込センサ３８０による遊技球カウント数とを比較し、それら各カウント数が一致する場合に、今回の遊技球取込の検出結果（センサユニット３７０による取込判定の結果）が正規であると判定する。これに対し、各カウント数が不一致となる場合に、今回の遊技球取込の検出結果（センサユニット３７０による取込判定の結果）が正規なものでなく、不正行為によるものであると判定する。
【０１６５】
取込装置３０１に対する不正行為として、センサユニット３７０に、遊技球の通過を誤検出させるように発光動作する不正装置を取り付けることが考えられる。例えば、実際の遊技球取込に関係なく点滅動作するような２つの発光体を備えてなる不正装置を取込装置３０１に取り付け、それら各発光体を所定順序で点滅させることで遊技球の通過を誤検出させるようにする。かかる不正行為がなされた場合、センサユニット３７０による遊技球検出だけでは不正行為による遊技球の誤検出を回避することが困難であった。この点、上記のように下流側取込センサ３８０の検出信号による不正確認によって、不正行為による遊技球の誤検出を回避することができる。
【０１６６】
取込通路３１５に、互いに検出方式の異なる２つのセンサ装置（センサユニット３７０、下流側取込センサ３８０）を設けたため、各センサ装置のいずれにおいても遊技球を誤検出させるようにすることは困難なものとなる。故に、取込装置３０１における不正対策が望ましいものとなっている。
【０１６７】
上述した取込装置３０１の各構成部材（排出ゲート部材３４０を除く、取込ゲート部材３２０、ソレノイド３２５を含むゲート駆動機構、センサユニット３７０等）は、入口通路３０５と取込通路３１５とのコーナー部分の内側領域に集約して配設されている。これにより、各構成部材を限られた領域内で効率良く配置することができ、結果として取込装置３０１の小型化（薄型化も含む）が実現できるようになっている。
【０１６８】
次に、図３４を用い、第１取込装置３０１による実際の遊技球の取込動作を説明する。図３４において（ａ）は初期状態を示し、（ｂ）は遊技球の取込状態を示し、（ｃ）は遊技球の排出状態を示す。なお、実際の遊技に際し、入口通路３０５には続々と遊技球が入ってくるが、図３４の（ａ）〜（ｃ）では、５個の遊技球のみを図示している。
【０１６９】
図３４の（ａ）に示す初期状態では、ソレノイド３２５が非通電となっており、取込ゲート部材３２０の爪部３２０ａが取込通路３１５内に突出している。また、排出ゲート部材３４０が非操作の状態にあるため、当該排出ゲート部材３４０によって排出通路３１６の入口が閉鎖されている。つまり、取込ゲート部材３２０及び排出ゲート部材３４０によって取込通路３１５及び排出通路３１６が閉状態となっており、これにより遊技球の通過が阻止されている。この場合、取込装置３０１内に入ってきた遊技球のうち、先頭の遊技球は取込ゲート部材３２０と排出ゲート部材３４０との両方に当たった状態で保持されている。
【０１７０】
また、図３４の（ｂ）に示す遊技球の取込状態では、ソレノイド３２５の通電により放込ゲート部材３２０の爪部３２０ａが取込通路３１５から引っ込んだ状態となる。これにより、取込通路３１５の遊技球の通過が許容され、遊技球の取込が順次行われる。遊技球の取込が行われる際、入口通路３０５から取込通路３１５に入ってきた遊技球は通路閉鎖状態にある排出ゲート部材３４０に衝突し、その衝突により流れの勢いが減じられ、その後取込通路３１５の下流側と流れる。このとき、取込通路３１５では前後する遊技球が互いに離間した状態で流下し、センサユニット３７０によって遠技球の通過が確実に検知される。
【０１７１】
さらに、図３４の（ｃ）に示す遊技球の排出状態では、遊技者による排出操作（実際には排出操作伝達装置１８０の操作レバー１８８の操作）によって排出ゲート部材３４０が動作して通路開放状態とされる（ただしこのとき、ソレノイド３２５は非通電状態にある）。これにより、排出通路３１６内における遊技球の通過が許容され、遊技球の排出（球抜き）が行われる。遊技球の排出が行われる際、取込通路３１５の鉛直部分の入口部は、取込ゲート部材３２０の爪部３２０ａと排出ゲート部材３４０の球案内突部３４４とにより閉鎖され、それら爪部３２０ａと球案内突部３４４との上を遊技球が通過する。このとき、遊技球はスムーズに流れ、遊技球の排出が好適に行われる。
【０１７２】
上記構成の取込装置が３連で設けられた取込ユニット１５３では、上皿１５１の案内通路１７１〜１７３から各取込装置３０１〜３０３にそれぞれ遊技球が供給され、遊技機前面のベットスイッチ３８の操作に伴い各取込装置３０１〜３０３では各々で遊技球が取り込まれる。具体的には、例えば１５個（マックスベット分）の遊技球が取り込まれる場合、全ての取込装置３０１〜３０３において同時に取込ゲート部材３２０が開放位置に操作され、遊技球の取込が一斉に開始される。このとき、各取込装置３０１〜３０３では遊技球が５個ずつ取り込まれる。
【０１７３】
ただし、３個の取込装置３０１〜３０３のうちいずれかの取込装置に遊技球が充填されていない場台、又はソレノイド３２５の故障などでいずれかの取込装置が正常に作動しない場合には、正常な取込動作を行うことができる残りの取込装置により遊技球の取込が行われる。例えば、第１取込装置３０１に遊技球が充填されていないとき又は同取込装置３０１のソレノイド３２５などが故障しているときには、第１取込装置３０１以外の取込装置（第２，第３取込装置３０２，３０３）によって１５個の遊技球が取り込まれることとなる。
【０１７４】
一方、取込装置３０１〜３０３や上皿１５１に残っている遊技球を下皿７１へ排出する場合には、遊技機前面の操作レバー１８８の操作に伴い排出ゲート部材３４０が操作されて各取込装置３０１〜３０３で一斉に遊技球の排出が行われる。
【０１７５】
（払出制御ユニット１５５の説明）
次に、払出制御ユニット１５５について説明する。図３５は、払出制御ユニット１５５の分解斜視図である。なお払出制御ユニット１５５としての完成状態は図８等に示されているため、これを参照されたい。図３５等に示すように、払出制御ユニット１５５は、電源装置１５６と払出制御装置１５７とを横に並べ、それら各装置１５６，１５７を連結具４０１で連結することにより構成されている。
【０１７６】
詳しくは、電源装置１５６は、電源基板（図示略）とその電波基板を収容する基板ボックス４０２とにより構成されている。基板ボックス４０２は、合成樹脂材料にて成形されており、特に円部（電源基板）を視認可能とすべく透明ボックスとされている。基板ボックス４０２の上面及び下面の隅部にはスリット状の切欠が形成されており、その切欠によって可撓板部４０３が形成されるとともに、その可撓板部４０３上に突起４０４が形成されている（ただし図３５には上側の可撓板部及び突起のみを示す）。これにより、可撓板部４０３及び突起４０４は上方（又は下方）からの力の作用により撓み変形する。
【０１７７】
また、払出制御装置１５７は、払出制御基板（図示略）とその払出制御基板を収容する基板ボックス４０５とにより構成されている。基板ボックス４０５は、合成樹脂材料にて成形されており、特に内部（払出制御基板）を視認可能とすべく透明ボックスとされている。基板ボックス４０５の上面及び下面の隅部にはスリット状の切欠が形成されており、その切欠によって可撓板部４０６が形成されるとともに、その可撓板部４０６上に突起４０７が形成されている（ただし図３５には上側の可撓板部及び突起のみを示す）。これにより、可撓板部４０３及び突起４０７は上方（又は下方）からの力の作用により撓み変形する。電源装置１５６及び払出制御装置１５７の各基板ボックス４０２，４０５において、それらの高さ寸法（上下方向の寸法）と厚さ寸法（前後方向の寸法）は同一となっている。
【０１７８】
連結具４０１は略コ字状をなしており、中板部４０１ａ、上板部４０１ｂ及び下板部４０１ｃよりなる。中板部４０１ａは、電源装置１５６及び払出制御装置１５７の各基板ボックス４０２，４０５の高さ寸法とほぼ同じ長さ寸法（上下方向の寸法）を有し、上板部４０１ｂ及び下板部４０１ｃは同基板ボックス４０２，４０５の厚さ寸法とほぼ同じ長さ寸法（前後方向の寸法）を有する。上板部４０１ｂ及び下板部４０１ｃには各２個ずつの孔部４０８，４０９が形成されている。
【０１７９】
電源装置１５６及び払出制御装置１５７の各基板ボックス４０２，４０５に設けた突起４０４，４０７を連結具４０１の各孔部４０８，４０９に係合させることで、連結具４０１を介して電源装置１５６及び払出制御装置１５７が連結される。電源装置１５６及び払出制御装置１５７が連結された状態では、それら各装置１５６，１５７内の基板はいずれも同一方向（受皿ブロック５としては後方側）を向くようになっている。当該状態では、電源装置１５６及び払出制御装置１５７が所定の隙間を隔てて配置される。そして、図１５等に示すように、電源装置１５６及び払出制御装置１５７の基板裏面側（連結具４０１の中板部４０１ａ側）を球通路形成体１５２に対向させるようにして、払出制御ユニット１５５が球通路形成体１５２に取り付けられる。
【０１８０】
（受皿ブロック５としての動作説明）
受皿ブロック５としての動作を図７（全体斜視図二〉、図１７（上皿１５１の平面図）、図２１（球通路形成体１５２の斜視図）、図２９（取込装置３０１の構成断面図〉等を用いて説明する。
【０１８１】
上記の如く構成される受皿ブロック５において、上皿１５１に多数の遊技球が貯留されている状態では、遊技球は上皿１５１の最下流部である案内通路１７１〜１７３で各一列に整列され、その整列状態で各案内通路１７１〜１７３に対応する取込装置３０１〜３０３の入口通路３０５〜３０７に案内される。このとき、各案内通路１７１〜１７３の一部と入口通路３０５〜３０７の上方には透明なカバー部材１７５が取り付けられており、各案内通路１７１〜１７３及び入口通路３０５〜３０７を通じて流下する遊技球が容易に視認可能となっている。
【０１８２】
そして、取込ユニット１５３の各取込装置３０１〜３０３における遊技球取込時には、各取込装置３０１〜３０３の取込ゲート部材３２０が開放操作されて取込通路３１５を通じて遊技球が順次取り込まれる。該取り込まれた遊技球は、球通路形成体１５２に設けられた球排出室２１６→外部誘導通路２１７の順に流れて外部（遊技ホールの島設備）に排出される。また、排出ゲート部材３４０の操作による遊技球排出時（球抜き時）には、遊技球が、各取込装置３０１〜３０３の排出通路３１６→排出誘導通路２１８→排出口２０３の順に流れて最終的に下皿７１に排出される。
【０１８３】
一方、後述する払出装置等から遊技球分配部材２１０に遊技球が供給されると、該分配通路２１０に設けられた各通路２１１〜２１３による振り分けによって、遊技球が上皿１５１、下皿排出通路２０１、外部排出通路２０２のいずれかに分配される。
【０１８４】
（面替えブロック６の説明）
次に、面替えブロック６について説明する。図３６は面替えブロック６を斜め前方より見た斜視図、図３７は同面替えブロック６を斜め後方から見た斜視図、図３８は同面替えブロック６の正面図である。また、図３９，図４０は面替えブロック６の分解斜視図である。
【０１８５】
面替えブロック６は主要な構成として、合成樹脂製の前面枠５０１と、この前面枠５０１の背面側に取り付けられる金属製のベース板５０２と、図柄表示装置としてのリール装置５０３と、補助演出装置としての液晶表示装置５０４と、遊技に関わる主たる各種制御を実施する主制御装置５０５と、主制御装置５０５からの指令に基づく従たる表示制御等を実施する表示制御装置５０６とを備えている。この場合、面替えブロック６は、本遊技機１の遊技内容を決定する主要部品を全て備える構成となっており、仮に遊技ホール等において機種入替を行う場合には、この面替えブロック６を現機種のものから新たな機種のものに入れ替えることで機種入替を行うことができるようになっている。すなわち、面替えブロック６は機種入替時などにおける交換ユニットとなっている。
【０１８６】
（前面枠５０１の説明）
前面枠５０１の詳細を図４１等を用いて説明する。図４１において、（ａ）は前面枠５０１を前方から見た斜視図、（ｂ）は前面枠５０１を後方から見た斜視図である。
【０１８７】
前面枠５０１は、正面から見てほぼ正方形状をなしており、周縁部に設けられたフランジ部５１１から前方に突出するようにして立体的に窓枠部５１２が形成されている。窓枠部５１２は、正面から見て略台形状に成形されており、これは前扉体１１の視認窓２１にほぼ一致する形状及び大きさとなっている。
【０１８８】
また、窓枠部５１２の前面部には、いずれも横長の矩形状をなす上下２つの開口が設けられており、それぞれ上側表示窓５１３、下側表示窓５１４となっている。各表示窓５１３，５１４は、窓枠部５１２の前面部において左右方向のほぼ中央部にそれぞれ設けられており、両者を比較すると下側表示窓５１４の方が大きめに形成されている。上側表示窓５１３は、液晶表示装置５０４による表示画像を表示するための液晶画像表示部を構成する。側表示窓５１４は、リール装置５０３の外周に付されたリール図柄を表示するためのリール図柄表示部を構成する。
【０１８９】
窓枠部５１２の前面（すなわち表示窓５１３，５１４以外の部位）は概ね平坦面にて構成されている。なお、窓枠部５１２において上側表示窓５１３の周囲部分と下側表示窓５１４の周囲部分とを比較するときに、それらの設置角度は異ならせてもよい。すなわち、上側表示密５１３の周囲部分は概ね鉛直方向に設けられるのに対し、下側表示窓５１４の周囲部分は若干上方を向くようにして設けてもよい。こうした窓枠部５１２の前面角度は、前扉休１１の視諏窓２１に設けられた透明パネル２２に即したものとなっている。
【０１９０】
面替えブロック６をドアブロック４に装着した状態では、前面枠５０１のフランジ部５１１がドアブロック４のパネル支持板材９２（図８参照）に当接する。ただしこのとき、前面枠５０１においてフランジ部５１１から窓枠部５１２の前面までの長さ（前後方向の幅）と、パネル支持板材９２の前後方向の長さとを比較すると、後者の方が大きいものとなっている。したがって、装着状態では、窓枠部５１２の前面と透明パネル２２との間に隙間ができるようになっている。
【０１９１】
窓枠部５１２とドアブロック４側の視認窓２１（透明パネル２２）とはほぼ同じ大きさを有するため、窓枠部５１２の前面領域Ｆ（すなわち表示窓５１３，５１４以外の部位）に本遊技機１に関わる各種情報や装飾等を付与すれば、その各種情報や装飾等を視認窓２１（透明パネル２２）を通じて遊技機前方から観取することができる。この場合、前述のとおり窓枠部５１２の前面領域Ｆは概ね平坦面であるため、この前面領域にシール等を貼付することも可能である。
【０１９２】
（ベース板５０２の説明）
次に、ベース板５０２の詳細を図４２等を用いて説明する。図４２において、（ａ）はベース板５０２を前方から見た斜視図、（ｂ）はベース板５０２を後方から見た斜視図である。
【０１９３】
ベース板５０２は、前面枠５０１とほぼ同じ大きさを有しており、該べ一ス板５０２には、各々矩形状をなす上下２つの開口部（上側開口部５２１，下側開口部５２２）が形成されている。このうち、上側開口部５２１は液晶表示装置５０４を装着するための開口であり、下側開口部５２２はリール装置５０３を装着するための開口である。そして、ベース板５０２は、各開口部５２１，５２２の側方部位で前面枠５０１への取り付けが行われる。なお、各開口部５２１，５２２は、前面枠５０１の各表示窓５１３，５１４にそれぞれ対応して設けられており、各表示窓５１３，５１４よりもー回り大きいものとなっている。
【０１９４】
ベース板５０２の背面側において、上下の各開口部５２１，５２２の間の開口縁部と下側開口部５２２の下側の開口縁部とにはそれぞれ、リール装置５０３を支持するための長尺状のリール支持部材５２５，５２６が設けられている。上側のリール支持部材５２５には左右２箇所に孔部５２５ａ，５２５ｂが設けられている。下側のリール支持部材５２６には左右２箇所に孔部５２６ａ，５２６ｂが設けられるとともに、後述するケース部材５４０の支持固定部５４６を載せるための返し部５２７が設けられている。
【０１９５】
ベース板５０２の背面側において左右両縁部にはそれぞれ角柱状の柱部５３１，５３２が取り付けられている。そのうち、背面側から見て右側の柱部５３１には支持金具５３３が取り付けられている。支持金具５３３には上下一対の支軸５３４ａ，５３４ｂが設けられている。支持金具５３３の支軸５３４ａ，５３４ｂは、面替えブロック６をドアブロック４に回動可能に支持するための支持手段を構成するものであり、この支軸５３４ａ，５３４ｂがドアブロック４に設けられた軸金具１１０，１１１の軸受け部１１０ｂ，１１１ａの軸孔（図８等参照）に差し入れられるようになっている。なお、ドアブロック４側の軸受け部１１０ｂ，１１１ａと面替えブロック６側の支軸５３４ａ，５３４ｂとが図６に示す「面替えブロック６用の支持手段Ｍ１，Ｍ２」に相当する。
【０１９６】
背面側から見て左側の柱部５３２には金具板５３５が取り付けられており、金具板５３５には上下一対の鉤部５３６ａ，５３６ｂが設けられている。この鉤部５３６ａ，５３６ｂは、面替えブロック６に対して払出ブロック７を固定するための固定手段として機能する。
【０１９７】
また、ベース板５０２の背面側には、上側開口部５２１と柱部５３１との間に外部端子板５３７が取り付けられている。
【０１９８】
（リール装置５０３の説明）
図４３は、リール装置５０３の構成を示す斜視図である。リール装置５０３は、金属製のケース部材５４０と、そのケース部材５４０に収容される左・中・右の３つのリール５４１，５４２，５４３とを具備している。ケース部材５４０は、その内部に３つのリール５４１〜５４３を回転可能に収容し、かつ該リール５４１〜５４３の一部を前方に現出させるものとなっている。ケース部材５４０において上面部の前側端部には、上方に折り曲げて形一成された支持固定部５４５が設けられ、下面部の前側端部には、下方に折り曲げて形成された支持固定部５４６が設けられている。これら支持固定部５４５，５４６は、リール装置５０３をベース板５０２に取り付けるための取付手段を構成するものである。
【０１９９】
支持固定部５４５，５４６にはそれぞれ左右２カ所に孔部５４５ａ，５４５ｂ，５４６ａ，５４６ｂが設けられており、本リール装置５０３のベース板５０２への取り付け固定は、各孔部５４５ａ，５４５ｂ，５４６ａ，５４６ｂに挿通させたネジをベース板５０２の上下のリール支持部材５２５，５２６（孔部５２５ａ，５２５ｂ，５２６ａ，５２６ｂ）に蝶着させることにより行われている。
【０２００】
図３７等にて確認できるように、ケース部材５４０の上部には、リール装置５０３と主制御装置５０５などの制御系との電気的な接続を行うためのリール中継基板５４８が設置されている。また、ケース部材５４０の下部には、面替えブロック６を床等に置く場合に床等との接触部となる突起５４９が左右２箇所に設けられている。
【０２０１】
各リール５４１〜５４３の構成について周知であり、ここでは詳細な図示を省略するが、その構成を簡単に説明する。各リール５４１〜５４３は、円筒状のかごを形成する円筒骨格部材と、その外周に巻回された帯状のベルトとを備えている。ベルトの外周面には、識別情報としての図柄が等間隔ごとに多数印刷されている（例えば２１図柄）。各リール５４１〜５４３の中央部には、駆動源としてのステッピングモータが設けられており、該ステッピングモータの駆動により各リール５４１〜５４３が個別に、すなわちそれぞれ独立して回転駆動される。リール装置５０３には、その他の構成として、各リール５４１〜５４３の回転位置を検出するためのリールインデックスセンサ（回転位置検出センサ）が設置されている。また、各リール５４１〜５４３の内周側には、蛍光ランプ等よりなるバックライト（後方発光手段）が設けられており、このバックライトにより、リール外周面に付された各図柄が後方より明るく照らされるようになっている。バックライトの発光によって、リール外周面に付された各図柄の視認性の向上や、遊技に際し補助的な演出の多様化を図ることができる。
【０２０２】
（主制御装置５０５等の説明）
次に、主制御装置５０５や表示制御装置５０６等の構成を、図３９等を用いて説明する。
【０２０３】
主制御装置５０５は、ＣＰＵやメモリ等の電子部品が実装された主制御基板５６１と、この主制御基板５６１を収容するための略直方体形状のケース部材（ケース台５６２及びケースカバー５６３）とから構成されている。ケース台５６２及びケースカバー５６３は透明な合成樹脂材料にて成形されており、この透明なケース台５６２及びケースカバー５６３によってその内部の主制御基板５６１が視認可能となっている。ケース台５６２には、主制御装置５０５をベース板５０２に取り付けるための取付部５６４，５６５が図の上下２箇所に形成されている。
【０２０４】
なお、ケース台５６２及びケースカバー５６３には、これら各部材を連結する封印手段としての図示しない封印部（いわゆるカシメ部）が設けられている。封印部は、破壊等を伴うことでケース部材を開封可能とするものであり、開封後には破壊などがなされた部材が開封履歴として残るため、その開封履歴によって開封事実の確認が可能となっている。これにより、仮にケース部材が不正に開封された場合などにおいては、封印部の確認によって不正行為の発見が可能となっている。
【０２０５】
表示制御装置５０６は、ＣＰＵやメモリ等の電子部品が実装された表示制御基板５７１と、この表示制御基板５７１を収容するための略直方体形状のケース部材（ケース台５７２及びケースカバー５７３）とから構成されている。ケース台５７２及びケースカバー５７３は透明な合成樹脂材料にて成形されており、この透明なケース台５７２及びケースカバー５７３によってその内部の表示制御基板５７１が視認可能となっている。ケース台５７２には、表示制御装置５０６をベース板５０２に取り付けるための取付部５７４，５７５が図の左右２箇所に形成されている。
【０２０６】
液晶表示装置５０４は、液晶パネル５８１と、該液晶パネル５８１を駆動する液晶ドライバ５８２とにより構成されている。
【０２０７】
（面替えブロック６として完成状態の説明）
面替えブロック６の完成状態を図３６，図３７を用いてあらためて説明する。面替えブロック６としては、前面枠５０１とベース板５０２とを一体化させたものに、背後からリール装置５０３が取り付けられ、リール装置５０３の上方に液晶表示装置５０４が取り付けられている。また、リール装置５０３の側方に主制御装置５０５が取り付けられるとともに、同リール装置５０３の上方に表示制御装置５０６が取り付けられている。
【０２０８】
面替えブロック６において、前面枠５０１の上側表示窓５１３からは液晶パネル５８１のパネル面全体が視認できる。また，同前面枠５０１の下側表示窓５１４からはリール装置５０３の各リール５４１〜５４３の一部が視認できる。このとき、各リール５４１〜５４３の外周に付された多数（本実施の形態では２１個）の図柄のうち、リール毎に３つずつの図柄が下側表示窓５１４を通じて視認できるようになっている。
【０２０９】
（払出ブロック７の説明）
次に、払出ブロック７について説明する。図４４は払出ブロック７の斜視図、図４５は払出ブロック７の背面図である。
【０２１０】
払出ブロック７は、合成樹脂材料にて一体成形された裏カバー部材６０１と、遊技球を払い出すための払出機構６０２とが一体化されることにより構成されている。裏カバー部材６０１は、略平坦状のベース部６０３と、後方（遊技機１の後方）に突出し略直方体形状をなす保護カバー部６０４とを有する。保護カバー部６０４は左右及び上下の各面と背面とが閉鎖された形状をなし、少なくとも面替えブロック６のリール装置５０３を収容するのに十分な大きさを有する。なお図示は省略するが、保護カバー部６０４の背面には多数の通気孔が設けられている。
【０２１１】
払出機構６０２は、保護カバー部６０４を迂回するようにして裏カバー部材６０１のべース部６０３に取り付けられている。すなわち、裏カバー部材６０１の最上部には上方に開口したタンク６０５が設けられており、タンク６０５には遊技ホールの島設備から供給される遊技球が逐次補給される。タンク６０５の下方には、例えば横方向２列（２条）の球通路を有し下流側に向けて緩やかに傾斜するタンクレール６０６が連結され、タンクレール６０６の下流側には上下方向に延びるケースレール６０７が連結されている。
【０２１２】
払出装置６０８はケースレール６０７の最下流部に設けられ、受皿ブロック５に設けた払出制御装置１５７からの制御信号により払出モータ６０９が駆動されて必要個数の遊技球の払出が適宜行われる。払出装置６０８より払い出された遊技球は払出通路〈図示省略）等を通じて上皿１５１に供給される。図示は省略するが、ケースレール６０７の上流部には、タンク６０５やタンクレール６０６から供給される遊技球の有無を検出するタンク球無しセンサが設けられている。また、払出装置６０８には、払出モータ６０９の回転を検出する払出回転センサと、払い出される遊技球数をカウントする払出カウントスイッチとが設けられている。
【０２１３】
払出機構６０２には、払出制御装置１５７から払出装置６０８への払出指令の信号を中継する払出中継基板６１１が設置されている。その他、払出機構６０２には、外部より主電源を取り込むための電源スイッチ基板（図示省略）が設置されている。
【０２１４】
払出機構６０２におけるタンクや通路部材類はいずれも導電性を有する合成樹脂材料、例えば導電性ポリカーボネート樹脂にて成形され、その一部にてアースされている。これにより、遊技球の帯電によるノイズの発生が抑制されるようになっている。
【０２１５】
裏カバー部材６０１には、背面側から見て右端部に上下一対の支軸６２１ａ，６２１ｂが設けられている。この支軸６２１ａ，６２１ｂは、払出ブロック７をドアブロック４に回動可能に支持するための支持手段を構成するものであり、この支軸６２１ａ，６２１ｂがドアブロック４に設けられた軸金具１１０，１１１の軸受け部１１０ａ，１１１ｂの軸孔（図８等参照）に差し入れられるようになっている。なお、ドアブロック４側の軸受け部１１０ａ，１１１ｂと払出ブロック７側の支軸６２１ａ，６２１ｂとが図６に示す「払出ブロック７用の支持手段Ｍ３，Ｍ４」に相当する。
【０２１６】
また、裏カバー部材６０１には、払出ブロック７を面替えブロック６に対して固定するための装着固定手段（ロック部材６２５ａ，６２５ｂ）が複数箇所に設けられるとともに、同払出ブロック７をドアブロック４に装着した状態で固定するための装着固定手段（ロック部材６２７ａ，６２７ｂ，６２７ｃ，６２７ｄ）が複数箇所に設けられている。
【０２１７】
すなわら、面替えブロック６用のロック部材６２５ａ，６２５ｂは、面替えブロック６に設けた金具板５３５の鉤部５３６ａ，５３６ｂ（図３７参照）に対応する位置に計２箇所設けられ、それぞれ各鉤部５３６ａ，５３６ｂに係止される係止片を有して構成されている。この場合、鉤部５３６ａ，５３６ｂに対して各ロック部材６２５ａ，６２５ｂの係止片を係止状態にすることで面替えブロック６に払出ブロック７が装着国定され、その係止状態を解除することで面替えブロック６から払出ブロック７が取り外しできるようになっている。
【０２１８】
また、ドアブロック４用のロック部材６２７ａ〜６２７ｄは、前扉体１１（ドアブロック４）の鉤金具１３７ａ〜１３７ｄ（図８参照）に対応する位置に計４箇所設けられ、それぞれ各鉤金具１３７ａ〜１３７ｄに係止される係止片を有して構成されている。この場合、鉤金具１３７ａ〜１３７ｄに対して各ロック部材６２７ａ〜６２７ｄの係止片を係止状態にすることでドアブロック４に払出ブロック７が装着固定され、その係止状態を解除することでドアブロック４から払出ブロック７が取り外しできるようになっている。
【０２１９】
（面替えユニット６の交換作業の説明）
上述したように、面替えブロック６は交換可能ユニットとなっており、ここでは遊技ホールでの機種入替時などにおける面替えブロック６の交換作業について説明する。
【０２２０】
まずは規定の操作キーを用いて外枠２に対するドアブロック４の施錠状態を解除し、ドアブロック４を手前側に開放する。このとき、ドアブロック４と共に面替えブロック６や払出ブロック７が一体動作する。これが図３に示す状態である。その後、払出ブロック７の裏力バー部材６０１に設けたロック部材６２７ａ〜６２７ｄを指等でアンロック状態に操作することで、ドアブロック４に対して面替えブロック６と払出ブロック７とを回動可能（開放動作可能）とし、更にロック部材６２５ａ，６２５ｂを指等でアンロック状態に操作することで、面替えブロック６に対して払出ブロック７を回動可能（開放動作可能）とする。この状態で面替えブロック６と払出ブロック７とを各々回動させると図４に示す状態となる。なおこの状態で、各ブロック間の電気配線等を適宜外しておく。
【０２２１】
そして、図４の状態で、面替えブロック６を上方に持ち上げるようにしてドアブロック４から取り外す。このとき、ドアブロック４側に設けられた軸金具１１０，１１１の軸受け部１１０ｂ，１１１ａから面替えブロック６側に設けられた支軸５３４ａ，５３４ｂが引き技かれ、ドアブロック４から面替えブロック６が分離される。
【０２２２】
その後、新しい面替えブロック６を取り外し時と逆の作業手順で装着する。すなわち、新しい面替えブロック６をドアブロック４に取り付け、電気配線等の接続を適宜実行する。そして、面替えブロック６と払出ブロック７とを重ねた状態でロック部材６２５ａ，６２５ｂを指等でロック状態に操作する。また、面替えブロック６と払出ブロック７との一体物をドアブロック４に重ね、その状態でロック部材６２７ａ〜６２７ｄを指等でロック状態に操作する。最後にドアブロック４を外枠２に対して閉じると、遊技機１の入替が完了する。
【０２２３】
上記の面替えブロック６の交換作業に際し、操作キーによるドアブロック４の施錠解除以外は何ら特別な工具等を必要することはなく、交換作業の容易化が図られている。
【０２２４】
（電気的構成の説明）
次に、本遊技磯１の電気的構成について、図４６のブロック図に基づいて説明する。図４６では、電気的な各構成要素を、ドアブロック４、受皿ブロック５、面替えブロック６及び払出ブロック７に区分けして示している。また、電源装置１５６から供給される電力の供給ラインを二重線矢印で示し、信号ラインを実線矢印で示す。
【０２２５】
図４６において、主制御装置５０５、表示制御装置５０６及び払出制御装置１５７は、何れもＣＰＵ、ＲＯＭ、ＲＡＭ等を有してなる論理演算装置にて構成されており、各制御装置のＣＰＵはＲＯＭ内に予め記憶されている演算プログラムに基づいて遊技に関する各種制御を実行する。これら各制御装置は、信号ラインや中継基板等を介して接続されており、遊技に際しては制御装置間におけるコマンド等の授受によって遊技の進行が行われる。
【０２２６】
詳しくは、面替えブロック６において、主制御装置５０５には、リール中継基板５４８を介してリール装置５０３と外部端子板５３７とが接続されるとともに、サブ中継基板７０１を介して表示制御装置５０６が接続されている。リール装置５０３では、主制御装置５０５からの指令に基づいて各リール５４１〜５４３の回転が制御される。外部端子板５３７は遊技ホール等に設置されるホール管理装置（いわゆる、ホールコンピュータ）に接続される中継装置であり、この外部端子板５３７を通じて都度の遊技状況（遊技回数、当り回数等々）がホール管理装置に出力される。表示制御装置５０６は、主制御装置５０５から毎遊技の補助演出に関する各種コマンドを入力し、そのコマンドに応じて液晶表示装置５０４による補助演出を実施するとともに、ドアブロック４に設けたドア上部中継基板７０３を介してスピーカ類７０５やランプ類７０６の駆動を制御する。
【０２２７】
図示等による説明は省略したが、本遊技機１には、外枠２に対して遊技機本体３（ドアブロック４）が開放されたことを検知するためのドアスイッチが設けられており、このドアスイッチの検出信号はリール中継基板５４８を介して主制御装置５０５に入力されるようになっている。
【０２２８】
なお、主制御装置５０５において、ＲＡＭの一部には本遊技機１の電源遮断後においても電源装置１５６からバックアップ電圧が供給されてデータを保持（バックアップ）することが可能なバックアップエリアが設けられている。したがって、停電などの発生により電源が遮断された場合には、電源遮断時の各種データがＲＡＭのバックアップエリアに記憶保持され、次回の電源投入時（停電解消による電源投入を含む）において遊技機１の状態が電源遮断前の状態に復帰できるようになっている。
【０２２９】
また、受皿ブロック５には受皿ブロック中継基板７０２が設けられており、この受皿ブロック中継基板７０２を介して面替えブロック６の主制御装置５０５と、本受皿ブロック５の払出制御装置１５７や取込ユニット１５３とが接続されている。加えて、受皿ブロック中継基板７０２を介して面替えブロック６の主制御装置５０５と、ドアブロック４のドアブロック中継基板７０４とが接続されている。
【０２３０】
この場合、ドアブロック４の各種操作部材（ベットスイッチ３８、スタートレバー３３、ストップスイッチ３５〜３７）が遊技者により操作されると、これら操作部材に内蔵された操作検出部によって当該操作が検出され、都度の操作検出信号がドアブロック中継基板７０４及び受皿ブロック中継基板７０２を介して主制御装置５０５に入力される。例えば、ベットスイッチ３８の操作に伴う操作検出信号が主制御装置５０５に入力された場合、主制御装置５０５は、受皿ブロック中継基板７０２を介して取込ユニット１５３に取込制御信号を出力する。この取込制御信号によって取込ユニット１５３の各取込装置３０１〜３０３におけるソレノイド３２５が駆動され、遊技球の取込が順次行われる。遊技球取込時における遊技球取込検出センサ（センサユニット３７０、下流側取込センサ３８０）の検出信号は、やはり受皿ブロック中維基板７０２を介して主制御装置５０５に入力される。
【０２３１】
また、リール装置５０３の各リールの停止図柄（ドアブロック４の視認窓２１から視認できる上下３個分の図柄、及び各図柄の組み合わせ）が所定の遊技球払出役（小役図柄、ボーナス図柄）に合致する場合には、主制御装置５０５は、都度の成立役に応じて遊技球の払出個数を設定し、その払出個数に対応する払出制御信号を受皿アロツク中継基板７０２を介して払出制御装置１５７に出力する。これにより、払出制御装置１５７によって払出装置６０８（払出モータ６０９）が駆動され、速技球の払出が行われる。
【０２３２】
なお、払出制御装置１５７において、ＲＡＭの一部には主制御装置５０５のＲＡＭと同様に、本遊技機１の電源遮断後においても電源装置１５６からバックアップ電圧が供給されてデータを保持（バックアップ）することが可能なバックアップエリアが設けられている。したがって、停電などの発生により電源が遮断された場合には、電源遮断時の各種デ一夕がＲＡＭのバックアップエリアに記憶保持され、次回の電汲投入時（停電解消による電源投入を含む）において遊技機１の状態が電源遮断前の状態に復帰できるようになっている。
【０２３３】
図示は省略しているが、払出制御装置１５７には、ドアブロック４に設けた情報表示部５１の表示内容を管理する情報表示基板や、球貸しユニットから貸し出される遊技球の払出等を管理する球貸しユニット接続基板等が接続されている。
【０２３４】
電源装置１５６は外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及バックアップ電源を主制御装置５０５や払出制御装置１５７等に対して供給する。
【０２３５】
（遊技の概略説明）
次に、上記構成の遊技機１について、遊技者により行われる遊技の概要を簡単に説明する。
【０２３６】
遊技の開始に際し、上皿１５１に遊技球が十分にある状況において遊技者によりバットスイッチ３８が押圧操作されると、取込ユニット１５３の各取込装置３０１〜３０３において各々遊技球の取込が行われる。そして、ベット数に対応する所定個数（例えば１５個）の遊技球の取込が完了した後、スタートレバー３３が操作されると、リール装置５０３の各リ一ル５４１〜５４３が一斉に又は所定順序で回転し始める。このスタートレバー３３の操作時には、主制御装置５０５において小役、再遊技（リプレイ）、ボーナスゲーム等に関する内部抽選が行われる。各リール５４１〜５４３の回転時には、その外周面に付された図柄が視認窓２１を通じて上から下へと移動するような態様で視認される。
【０２３７】
その後、遊技者によりストップスイッチ３５〜３７が任意の順序で操作されると、各ストップスイッチ３５〜３７の操作タイミングに合わせて各々対応するリール５４ｌ〜５４３の回転が停止される。このとき、各リール５４１〜５４３の停止時には、所定の図柄を特定位置に停止させるような引き込み停止制御が適宜実施される。例えば、内部抽選により小役等が成立している場合、その小役等が成立する停止図柄の組み合わせとなるように、ストップスイッチ３５、３７の操作タイミングから最大４図柄分、停止図柄がスライド可能となっている（停止図柄のスベリが行われる）。ちなみに、各リール５４１〜５４３の回転開始後、ストップスイッチ３５〜３７の操作がなされないまま規定時間を経過した場合にはその時点で各リール５４１〜５４３の回転が停止される。
【０２３８】
各リール５４１〜５４３の停止時（図柄停止時）において、その停止図柄及びその組み合わせが小役図柄やボーナス図柄に合致する場合、その際の成立役に応じた数の遊技球が払い出される。この場合、払出装置６０８の駆動により上皿１５１に遊技球が払い出される。
【０２３９】
なお、上述したスタートレバー３３は、この発明の始動操作手段に相当し、トップスイッチ３５，３６，３７は、この発明の停止操作手段に相当し、ベットスイッチ３８は、この発明の賭け数指示操作手段に相当する。
【０２４０】
次に、この発明のさらなる特徴部分の構成について、図４７及び図４８を参照しながら説明する。なお、図１、図２も適宜参照する。
【０２４１】
図４７（ａ）は、上皿１５１と下皿７１とを説明するための平面図であり、図４７（ｂ）は、遊技機１の下部分を示す正面図である。図４８（ａ）は、下皿７１の外側領域７１ｂに遊技球が貯留されている状態を示す平面図であり、図４８（ｂ）は、下皿７１から上皿１５１へ遊技球を移動させる動作を説明するための正面図である。
【０２４２】
遊技機１は、払い出された遊技球を貯留可能な貯留領域１５１ａを有する上皿１５１と、上皿１５１よりも下側に設けられ、払い出された遊技球を貯留可能な貯留領域７１ａを有する下皿７１と、を遊技機本体部３の前面側に備えている。また、遊技機１は、上皿１５１の前面側に設けられ、遊技者によって操作される操作部３０を遊技機本体部３の前面側に備えている。
【０２４３】
＜上皿１５１の構成＞
上皿１５１は、底板部１６１とその周縁部を囲む周壁部１６２とよりなる。周壁部１６２は、底板部１６１の前端を上方に起立した前側周壁部１６２ａと、底板部１６１の左端を上方に起立した左側周壁部１６２ｂと、底板部１６１の後端を上方に起立した後側周壁部１６２ｃと、底板部１６１の右端を上方に起立した右側周壁部１６２ｄとから構成されている。これら底板部１６１と周壁部１６２とにより囲まれることによって、払い出された遊技球を貯留可能な貯留領域１５１ａが形成されている（図４７（ａ）に示す斜め線で塗りつぶした領域）。
【０２４４】
貯留領域１５１ａは、島設備の球貸し装置から貸し出された遊技球や、図３の払出装置６０８より払い出された遊技球を貯留するものである。
【０２４５】
また、上皿１５１のカバー部材１７５には、球貸しボタン５６と返却ボタン５７と度数表示部５８とが設けられている。球貸しボタン５６と返却ボタン５７とは、カバー部材１７５の上面に形成された開口から操作面が突出するように配設されている。度数表示部５８は、カバー部材１７５の下に配設されているが、カバー部材１７５が透明な材料で形成されているので、カバー部材１７５を介して度数表示が視認される。
【０２４６】
上皿１５１の貯留領域１５１ａは、図４７（ａ）に示す斜め線で塗りつぶした領域であり、図１７に示す領域Ｒ１，Ｒ２，Ｒ３に対応する。この領域Ｒ１は、領域Ｒ１の前側から後側に行くに従って徐々に低くなり、その低位において領域Ｒ２に連なる。領域Ｒ２は、領域Ｒ２の右側から左側へ行くに従って徐々に低くなり、その低位において領域Ｒ３に連なる。領域Ｒ３は、排出口１６３から開口部１６４に向けて（図１７の左側から右側に向けて）低くなる構成となっている。したがって、排出口１６３から排出された遊技球は領域Ｒ３の排出口１６３側（上流側）から開口部１６４側（下流側）に流れる。なお、領域Ｒ３から溢れる遊技球は、領域Ｒ２の斜面に沿って遡上し、領域Ｒ２や領域Ｒ１に貯留される場合もある。
【０２４７】
＜下皿７１の構成＞
下皿７１は、周壁部７３と、下皿当接板７３ｅと、底板部７３ｆとから構成されている。周壁部７３は、底板部７３ｆの前端を上方に起立した前壁部７３ａと、底板部７３ｆの左端を上方に起立した左壁部７３ｂと、底板部７３ｆの右端を上方に起立した右壁部７３ｃと、から構成されている。この左壁部７３ｂと右壁部７３ｃと底板部７３ｆとの後端が下皿当接板７３ｅに当接している。下皿当接板７３ｅと底板部７３ｆと周壁部７３とにより囲まれて、払い出された遊技球を貯留可能な貯留領域７１ａが形成されている（図４７（ａ）で灰色に塗りつぶした領域）。
【０２４８】
貯留領域７１ａは、下皿排出口７４を介して下皿７１に払い出された遊技球を貯留するものである。下皿排出口７４は、下皿当接板７３ｅの右寄り位置に設けられている。
【０２４９】
また、下皿７１の底板部７３ｆは、下皿排出口７４側から開閉板７６が設けられた開口側すなわち後述する外側領域７１ｂ側へ向けて下り傾斜する下り傾斜面７１ｃと、外側領域７１ｂ側から左壁部７３ｂ側へ上り傾斜する上り傾斜面７１ｄとを有する。また、開閉板７６及びこれを開閉する球抜き操作片７７は、下皿７１の左端側に設けられている。この球抜き操作片７７を右側にスライドすることによって、開閉板７６が開放される。上述の開口と開閉板７６と球抜き操作片７７は、下皿７１の貯留領域７１ａの下流位置側に配設されている。
【０２５０】
＜外側領域７１ｂについて＞
下皿７１の外側領域７１ｂについて説明する。
下皿７１の貯留領域７１ａは、上皿１５１を平面視した状態で、上皿１５１の周壁部１６２よりも外側に位置する外側領域７１ｂを有する。
【０２５１】
外側領域７１ｂと他の部材との位置関係について説明する。
遊技機１は、上皿１５１の前面側に操作部３０を備えている。そのため、下皿７１の貯留領域７１ａは、上皿１５１を平面視した状態で、上皿１５１の周壁部１６２及び操作部３０よりも外側に位置する外側領域７１ｂを有することになる。
【０２５２】
これは、遊技機本体部３を正面視した状態で、上皿１５１の中心に対して下皿７１の中心が左側に偏心している、とも言える。この上皿１５１の中心は、上皿１５１の貯留領域１５１ａの中心であってもよいし、下皿７１の中心は、下皿７１の貯留領域７１ａの中心であってもよい。すなわち、その偏心している分だけ、下皿７１の貯留領域７１ａは、上皿１５１の貯留領域１５１ａよりも左外側にずれている。なお、図４７（ｂ）において、上皿１５１の中心は中心線Ｃ１で示し、下皿７１の中心は中心線Ｃ２で示している。
【０２５３】
また、下皿７１の外側領域７１ｂは、上皿１５１を平面視した状態で、上皿１５１の左側周壁部１６２ｂよりも左外側に形成されている。具体的には、外側領域７１ｂは、図４７（ａ）に示される網目模様を付した下皿７１の底板部７３ｆと左壁部７３ｂとを含む領域に形成されている。
【０２５４】
また、操作部３０は、遊技球の掛け数の指示を遊技者から受けるベットスイッチ３８と、複数の図柄を外周面に付した回転体の回転開始指示を遊技者から受けるスタートレバー３３と、この回転体の回転停止指示を遊技者から受けるストップスイッチ３５，３６，３７とが配設されている。これらの操作部材は、上皿１５１の前面側にそれぞれ配設されている。下皿７１の外側領域７１ｂは、上皿１５１を正面視した状態で、最も左側に配設されるスタートレバー３３よりも左外側に位置するように形成されている。
【０２５５】
下皿７１の貯留領域７１ａに遊技球が貯留されている場合、外側領域７１ｂは、図４８（ａ）に示すように、上皿１５１を平面視した状態で、遊技者が遊技球を視認可能となる領域とも言える。
【０２５６】
＜外側領域７１ｂに関連する各部の説明＞
下皿７１は、上皿１５１から遊技球を受け入れる下皿排出口７４を有し、下皿７１の貯留領域７１ａは、下皿排出口７４側から外側領域７１ｂ側へ下り傾斜する下り傾斜面７１ｃを有する。具体的には、下り傾斜面７１ｃは、下皿７１の右壁部７３ｃ側から左壁部７３ｂ側へ下り傾斜しており、外側領域７１ｂは、この下り傾斜面７１ｃの下流側に設けられている。これにより、下皿７１は、下皿排出口７４から下皿７１へ受け入れられた遊技球が外側領域７１ｂに貯留され易くなるように形成されている。
【０２５７】
外側領域７１ｂまたはその近くには、開閉板７６によって開閉される開口が形成されている。開閉板７６は、外側領域７１ｂが形成される位置に近い下皿７１の底板部７３ｆに設けられている。開閉板７６を開閉操作する球抜き操作片７７は、外側領域７１ｂが形成される位置に近い下皿７１の前壁部７３ａの左端側に設けられている。これにより、下皿７１の外側領域７１ｂから上皿１５１の貯留領域１５１ａへ遊技球を移動させる動作と、開閉板７６を右側へスライドさせて開口を開かせて下皿７１の貯留領域７１ａに貯留された遊技球をドル箱に移す動作とが、両方とも下皿７１の外側領域７１ｂの近くで行われる。
【０２５８】
また、下皿７１の外側領域７１ｂは、下り傾斜面７１ｃの一部と、当該下り傾斜面７１ｃの一部のうち下皿排出口７４よりも低位に連なり且つ下皿７１を正面視した状態で左壁部７３ｂに向けて上り傾斜する上り傾斜面７１ｄと、からなる凹面７１ｅを有する。凹面７１ｅは、滑らかな凹曲面として形成されている。下皿７１の周壁部７３との位置関係で言うと、凹面７１ｅは、外側領域７１ｂに近い左壁部７３ｂ側に形成されている。なお、下皿７１は、右壁部７３ｃ側にも凹面が形成されているが、右壁部７３ｃ側に形成される凹面よりも、左壁部７３ｂ側に形成される凹面７１ｅの方が大きくなるように構成されている。
【０２５９】
また、下皿７１は、下皿７１を正面視した状態で、下皿７１の外側領域７１ｂを構成する凹面７１ｅの左側の端部が上向きに延出し、上皿１５１の側方にまで至るように形成されている。つまり、下皿７１は、下皿７１の貯留領域７１ａから外側領域７１ｂを通って上皿１５１の側方に至るまでの領域が連続した壁面として構成されている。具体的には、下皿７１の底板部７３ｆの壁面は、左壁部７３ｂの内壁面に連なり、さらに左壁部７３ｂの内壁面が上皿１５１の側方に至るまで延出されている。
【０２６０】
＜下皿７１と上皿１５１との位置関係＞
下皿７１の外側領域７１ｂと上皿１５１との位置関係は、下皿７１の外側領域７１ｂに貯留された遊技球を掴んだ遊技者の左手を上向きに上皿１５１まで動かしたときに、当該遊技者の左手と操作部３０の各操作部材を操作する遊技者の右手とが接触し難い位置関係になるように設定される。具体的には、上皿１５１の左側周壁部１６２ｂは、遊技機本体部３の左側に設けられた膨出部７０の右側面に対して右側に離れた状態で位置するように構成されている。そして、上皿１５１の左側周壁部１６２ｂと左側の膨出部７０の右側面との間に形成された隙間領域の下方に、下皿７１の外側領域７１ｂが位置する。
【０２６１】
＜下皿７１から上皿１５１へ遊技球を移動させる動作＞
図４８（ｂ）に示す経路Ｒを参照する。遊技者は、下皿７１の外側領域７１ｂに貯留された遊技球を左手で掴む。そして、遊技球を掴んだ左手を外側領域７１ｂから上向きに動かす。なお、このとき、遊技球を掴んだ左手を凹面７１ｅに沿って左側へ滑らせながら、凹面７１ｅの左側の端部から上向きに延出する壁面に沿わせるようにして、外側領域７１ｂから上向きに動かすことも可能である。続けて、外側領域７１ｂから上向きに動かした当該左手を上皿１５１の左側周壁部１６２ｂの右側方に位置する貯留領域１５１ａに動かして、当該左手で掴んだ遊技球を投入する。上皿１５１に貯留される遊技球が少なくなる度に、この動作が繰り返される。このとき、当該左手が上述した隙間領域を通過することになるので、当該左手と操作部３０の各操作部材を操作する遊技者の右手とが接触し難くなる。
【０２６２】
なお、上述した上皿１５１及びその貯留領域１５１ａは、この発明の上側貯留部及び貯留領域に相当し、操作部３０は、この発明の操作部に相当し、下皿７１及びその貯留領域７１ａは、この発明の下側貯留部及びその貯留領域に相当し、遊技機本体部３は、この発明の遊技機本体に相当し、外側領域７１ｂは、この発明の外側領域に相当する。また、上皿１５１の左側周壁部１６２ｂは、この発明の上皿の左側周壁部に相当する。また、上述した下皿排出口７４は、この発明の流入口に相当し、上述した下り傾斜面７１ｃは、この発明の下り傾斜面に相当し、上り傾斜面７１ｄは、この発明の上り傾斜面に相当し、凹面７１ｅは、この発明の凹面に相当する。
【０２６３】
上述したように、実施例１の遊技機１によれば、下皿７１の貯留領域７１ａは、上皿１５１を平面視した状態で、上皿１５１の周壁部１６２よりも外側に位置する外側領域７１ｂを有するので、遊技者が下皿７１に貯留された遊技球を手で掴み、当該手を上皿１５１の貯留領域１５１ａに移動させる際に、下皿７１の貯留領域７１ａに貯留されている遊技球を下皿７１の外側領域７１ｂから取り出し易くなる。また、下皿７１の外側領域７１ｂが上皿１５１の周壁部１６２よりも外側に離れている分だけ、遊技者の手が上皿１５１の周壁部１６２と接触し難くなる。したがって、下皿７１の外側領域７１ｂから上皿１５１の貯留領域１５１ａへ円滑に遊技球を移動させることができる。
【０２６４】
また、下皿７１の外側領域７１ｂは、上皿１５１を平面視した状態で、上皿１５１の周壁部１６２及びこれらの操作部３０よりも外側に位置するので、操作部３０を操作する遊技者の一方の手は上皿１５１の前面側で動くことになる。他方、下皿７１の外側領域７１ｂは、上皿１５１を平面視した状態で、上皿１５１の周壁部１６２及び操作部３０よりも外側に位置するので、遊技者が下皿７１の外側領域７１ｂに貯留された遊技球を他方の手で掴み、当該他方の手を上皿１５１の貯留領域１５１ａに移動させる際に、下皿７１の外側領域７１ｂが上皿１５１の周壁部１６２及び操作部３０よりも外側に離れている分だけ、上皿１５１の前面側で動く遊技者の一方の手と干渉し難くなる。また、遊技球を掴んだ手が上皿１５１の前面側に設けられた操作部３０に誤って接触することによって生じる誤操作の恐れが低減する。その結果、遊技者は、下皿７１の外側領域７１ｂから上皿１５１の貯留領域１５１ａへ円滑に遊技球を移動させることができる。
【０２６５】
また、遊技機本体部３を正面視した状態で、上皿１５１の中心（図４７（ｂ）に示す中心線Ｃ１）に対して下皿７１の中心（図４７（ｂ）に示す中心線Ｃ２）が左側に偏心しているので、その偏心している分だけ、上皿１５１の前面側に設けられた操作部３０を操作する遊技者の一方の手と、下皿７１の貯留領域７１ａに貯留された遊技球を掴んで上皿１５１に移動させようとする遊技者の他方の手とが、干渉し難くなる。これによって、上述した遊技球を掴んだ手が操作部３０に誤って接触することによって生じる誤操作の恐れが低減する。その結果、遊技者は、下皿７１の貯留領域７１ａから上皿１５１の貯留領域１５１ａへ円滑に遊技球を移動させることができる。
【０２６６】
また、下皿７１の外側領域７１ｂは、上皿１５１を平面視した状態で、上皿１５１の左側周壁部１６２ｂよりも左外側に位置するように形成されているので、下皿７１の外側領域７１ｂが遊技者の左手側に位置することになる。したがって、遊技者は、左手で下皿７１から遊技球を取り出し易くなり、取り出した遊技球を運ぶ際に左手が上皿１５１の周壁部１６２に接触し難くなり、下皿７１の外側領域７１ｂから上皿１５１の貯留領域１５１ａへ円滑に遊技球を移動させることができる。
【０２６７】
また、これにより、遊技球を掴んだ遊技者の左手は、上皿１５１の左側周壁部１６２ｂよりも左外側で動くことになる。つまり、遊技球を掴んだ遊技者の左手が動かされる領域と、操作部３０を操作する遊技者の右手が動かされる領域とが互いに離れることになる。したがって、遊技者が操作部３０を右手で操作している最中に、空いている左手で下皿７１に貯留される遊技球を上皿１５１に移動させても、左手と右手との干渉のおそれが低減される。
【０２６８】
また、下皿７１の外側領域７１ｂは、上皿１５１を正面視した状態で、最も左側に配設されるスタートレバー３３よりも左外側に位置するように形成されている。スタートレバー３３を操作する遊技者の右手は、始動操作を行う際に、上皿１５１の前面側で動くことになる。他方、下皿７１の外側領域７１ｂは、上皿１５１を正面視した状態で、最も左側に配設されるスタートレバー３３よりも左外側に位置するので、遊技球を掴んだ遊技者の左手は、この最も左側に配設されるスタートレバー３３よりも左外側で動くことになる。つまり、遊技球を掴んだ遊技者の左手が動かされる領域と、スタートレバー３３を操作する遊技者の右手が動かされる領域とが、この最も左側に配設されるスタートレバー３３を境に互いに離れることになる。したがって、遊技者が右手で始動操作をしている最中に、空いている左手で下皿７１に貯留される遊技球を上皿１５１に移動させても、左手と右手との干渉のおそれが低減される。
【０２６９】
また、下皿７１の貯留領域７１ａは、下皿排出口７４側から外側領域７１ｂ側へ下り傾斜する下り傾斜面７１ｃを有するので、下皿排出口７４から貯留領域７１ａへ受け入れられた遊技球は、貯留領域７１ａの外側領域７１ｂに貯留され易い。したがって、上皿１５１から下皿７１へ受け入れられる遊技球の数が少ない場合であっても、下皿７１の外側領域７１ｂには下皿排出口７４から受け入れられた遊技球が貯留され易い。また、下皿７１は、上皿１５１から下皿７１へある程度の量の遊技球が受け入れられているが、下皿７１から上皿１５１に頻繁に遊技球が取り出されているような場合であっても、下皿７１の貯留領域７１ａに貯留されている遊技球が取り出された分だけ遊技球が外側領域７１ｂ側に寄せられ易い。このようにして、下皿７１の貯留領域７１ａに貯留される遊技球の多寡に関わらず、下皿７１は、遊技球が外側領域７１ｂに集まり易く構成されているので、下皿７１の外側領域７１ｂが有効に使用される。
【０２７０】
また、下皿７１の外側領域７１ｂは、下り傾斜面７１ｃの一部と、当該下り傾斜面７１ｃの一部のうち下皿排出口７４側よりも低位に連なり、下皿７１を正面視した状態で左壁部７３ｂに向けて上り傾斜する上り傾斜面７１ｄと、からなる凹面７１ｅを有する。つまり、下皿７１の外側領域７１ｂを構成する凹面７１ｅは、下り傾斜面７１ｃの一部と上り傾斜面７１ｄとによって形成されているので、遊技者は、下皿７１の外側領域７１ｂに左手を入れて、凹面７１ｅを形成する下り傾斜面７１ｃから上り傾斜面７１ｄに向けて遊技球を掴んだ左手を円滑に動かすことができる。よって、下皿７１の外側領域７１ｂから円滑に遊技球を取り出すことができるので、下皿７１の外側領域７１ｂが有効に使用される。
【０２７１】
また、凹面７１ｅは、下皿７１を正面視した状態で、凹面７１ｅの左側の端部が上向きに延出し、上皿１５１の側方にまで至るように形成されているので、下皿７１の外側領域７１ｂに入れて遊技球を掴んだ左手は、凹面７１ｅの左側の端部から上向きに上皿１５１の側方に至るまで、円滑に案内される。よって、下皿７１の外側領域７１ｂから上皿１５１の貯留領域１５１ａまで円滑に遊技球を運ぶことができるので、下皿７１の外側領域７１ｂが有効に使用される。
【０２７２】
下皿７１の外側領域７１ｂと上皿１５１との位置関係は、下皿７１の外側領域７１ｂに貯留された遊技球を掴んだ遊技者の左手を上向きに上皿１５１まで動かしたときに、当該遊技者の左手と操作部３０を操作する遊技者の右手とが接触し難い位置関係になるように設定されているので、下皿７１の外側領域７１ｂに貯留された遊技球を掴んだ後、当該遊技者の左手を上向きに上皿１５１まで動かすという頻繁に行われ易い動作において、当該遊技者の左手と操作部３０を操作する遊技者の右手との干渉のおそれを低減することができる。
【実施例２】
【０２７３】
次に、実施例２の遊技機１について、図４９から図５２までを用いて説明する。
【０２７４】
図４９は、実施例２の遊技機１の全体を示す斜視図であり、図５０は、実施例２の遊技機１の正面図である。図５１（ａ）は、上皿１５１と下皿７１とを説明するための平面図であり、図５１（ｂ）は、遊技機１の下部分を示す正面図である。図５２（ａ）は、下皿７１の外側領域７１ｂに遊技球が貯留されている状態を示す平面図であり、図５２（ｂ）は、下皿７１から上皿１５１へ遊技球を移動させる動作を説明するための正面図である。
【０２７５】
実施例２の遊技機１は、下皿７１の外側領域７１ｂが形成される位置が前述の実施例１の遊技機１とは異なっているので、この点を詳細に説明する。なお、前述の実施例１の遊技機１と同様の内容については同じ符号を付して説明を省略する。
【０２７６】
実施例２では、下皿７１の外側領域７１ｂは、上皿１５１を平面視した状態で、上皿１５１の前側周壁部１６２ａよりも前外側に位置するように形成されている。
【０２７７】
具体的には、下皿７１の外側領域７１ｂは、上皿１５１を平面視した状態で、操作部３０を構成する各操作部材の中で最も前側に位置するスタートレバー３３の先端部よりも前外側に位置するように形成されている。なお、外側領域７１ｂは、図５１（ａ）において網掛け模様を付した領域に対応している。
【０２７８】
下皿７１の貯留領域７１ａは、底板部７３ｆがその前側を上皿１５１の周壁部１６２よりも前外側に位置するように形成している点において、実施例１のものと異なっている。底板部７３ｆに形成される開口は、一部が上皿１５１の周壁部１６２よりも前外側に位置するように形成されている。また、下皿７１の貯留領域７１ａは、下皿排出口７４側から外側領域７１ｂ側へ下り傾斜する下り傾斜面７１ｃを有する。つまり、下皿７１の貯留領域７１ａは、奥側から前側へ向けて下り傾斜している。これにより、下皿当接板７３ｅに左右１つずつ設けられている下皿排出口７４を介して下皿７１の貯留領域７１ａに入流される遊技球は、外側領域７１ｂに貯留され易くなるように構成されている。
【０２７９】
下皿７１の外側領域７１ｂは、上皿１５１を平面視した状態で、上皿１５１の前側周壁部１６２ａよりも前外側に形成されているので、前壁部７３ａが前外側に突出した形状をしている。つまり、実施例１のように下皿７１の左壁部７３ｂを左外側に突出させなくて済む。これにより、下皿７１を左右両側から挟み込む膨出部７０における下皿ランプ部７８の形状は、外側領域７１ｂを構成する周壁部７３によって制限を受けない。
【０２８０】
＜下皿７１から上皿１５１へ遊技球を移動させる動作＞
図５２（ｂ）に示す経路Ｒを参照する。遊技者は、下皿７１の外側領域７１ｂに貯留された遊技球を左手で掴む。そして、外側領域７１ｂから上向きに上皿１５１の前側周壁部１６２ａの前側へ向けて遊技球を掴んだ左手を動かす。続けて、当該左手を前側周壁部１６２ａの内側に位置する貯留領域１５１ａに動かして、当該左手で掴んだ遊技球を投入する。このとき、外側領域７１ｂがスタートレバー３３の先端部よりも前外側に位置するように形成されているので、外側領域７１ｂから上向きに動かされた当該左手は、スタートレバー３３を含む操作部材に衝突し難く、且つ、スタートレバー３３を含む操作部材を操作する遊技者の右手とも衝突し難い。
【０２８１】
なお、上述した前側周壁部１６２ａは、この発明の前側周壁部に相当する。
【０２８２】
上述したように、実施例２の遊技機１によれば、下皿７１の外側領域７１ｂは、上皿１５１の前側周壁部１６２ａよりも前外側に位置するように形成されている。つまり、下皿７１の外側領域７１ｂは、上皿１５１の前側周壁部１６２ａよりも前外側に位置するので、下皿７１の外側領域７１ｂが遊技者の正面側に位置することになる。したがって、左右どちらの手でも、下皿７１から遊技球を取り出し易くなり、取り出した遊技球を運ぶ際に上皿１５１の周壁部１６２に接触し難くなり、下皿７１の外側領域７１ｂから上皿１５１の貯留領域１５１ａへ円滑に遊技球を移動させることができる。
【実施例３】
【０２８３】
次に、実施例３の遊技機１について、図５３から図５６までを用いて説明する。
【０２８４】
図５３は、実施例３の遊技機１の全体を示す斜視図であり、図５４は、実施例３の遊技機１の正面図である。図５５（ａ）は、上皿１５１と下皿７１とを説明するための平面図であり、図５５（ｂ）は、遊技機１の下部分を示す正面図である。図５６（ａ）は、下皿７１の外側領域７１ｂに遊技球が貯留されている状態を示す平面図であり、図５６（ｂ）は、下皿７１から上皿１５１へ遊技球を移動させる動作を説明するための正面図である。
【０２８５】
実施例３の遊技機１は、下皿７１の外側領域７１ｂが形成される位置と、下皿７１の外側領域７１ｂに相当する部位が前述の実施例１及び実施例２の遊技機１とは異なっているので、これらの点を詳細に説明する。なお、前述の実施例１及び実施例２の遊技機１と同様の内容については同じ符号を付したうえで説明を省略する。
【０２８６】
実施例３では、下皿７１の外側領域７１ｂは、上皿１５１を平面視した状態で、上皿１５１の左側周壁部１６２ｂよりも左外側に位置するとともに、上皿１５１の前側周壁部１６２ａよりも前外側に位置するように形成されている。なお、外側領域７１ｂは、図５５（ａ）において網掛け模様を付した領域に対応している。
【０２８７】
具体的には、下皿７１の外側領域７１ｂは、下皿７１の貯留領域７１ａのうち、上皿１５１を平面視した状態で、上皿１５１の周壁部１６２よりも外側に位置する下皿７１の左壁部７３ｂ及び前壁部７３ａの内側面によって形成されている。つまり、前述の実施例１，２では、外側領域７１ｂは下皿７１の貯留領域７１ａを構成する底板部７３ｆと周壁部７３によって形成されていたが、実施例３では、外側領域７１ｂに底板部７３ｆが含まれていない点が異なっている。
【０２８８】
操作部材との位置関係でいうと、実施例３の外側領域７１ｂは、スタートレバー３３よりも左外側で、且つ、スタートレバー３３の延出方向とは異なる方向に形成されている。すなわち、実施例３の外側領域７１ｂを構成する左壁部７３ｂ及び前壁部７３ａは、スタートレバー３３の延出方向に対して斜め左側に離れる方向に延出している。
【０２８９】
＜下皿７１から上皿１５１へ遊技球を移動させる動作＞
図５６（ｂ）に示す経路Ｒを参照する。遊技者は、下皿７１の貯留領域７１ａに貯留された遊技球を左手で掴み、当該左手を下皿７１の外側領域７１ｂが形成されている周壁部７３の縁部から抜き出す。このとき、外側領域７１ｂに相当する下皿７１の周壁部７３の縁部は、上皿１５１の周壁部１６２よりも外側に位置するので、抜き出された当該左手は、上皿１５１の周壁部１６２よりも外側に位置する。また、外側領域７１ｂは、スタートレバー３３の延出方向とは異なる方向に形成されているので、この外側領域７１ｂから抜き出した左手は、外側領域７１ｂから上向きに上皿１５１の周壁部１６２の側方へ向けて動かしても、スタートレバー３３を操作する遊技者の右手とも衝突し難い。続けて、当該左手を前側周壁部１６２ａの内側に位置する貯留領域１５１ａに動かして、当該左手で掴んだ遊技球を投入する。
【０２９０】
上述したように、実施例３の遊技機１によれば、下皿７１の外側領域７１ｂは、上皿１５１を平面視した状態で、上皿１５１の左側周壁部１６２ｂよりも左外側に位置するとともに、上皿１５１の前側周壁部１６２ａよりも前外側に位置するように形成されているので、下皿７１の外側領域７１ｂが遊技者の左手側だけでなく正面側にも位置する。言い換えると、下皿７１の外側領域７１ｂは、遊技者の左手側に拡張された領域と遊技者の手前側に拡張された領域とによって形成される。これにより、下皿７１は、遊技者の左手側のみへの拡張を抑えながら、下皿７１の外側領域７１ｂを拡張できる。
【実施例４】
【０２９１】
次に、実施例４の遊技機１について、図５７から図６０までを用いて説明する。
図５７は、実施例４の遊技機１の全体を示す斜視図であり、図５８は、実施例４の遊技機１の正面図である。図５９（ａ）は、上皿１５１と下皿７１とを説明するための平面図であり、図５９（ｂ）は、遊技機１の下部分を示す正面図である。図６０（ａ）は、下皿７１の外側領域７１ｂに遊技球が貯留されている状態を示す平面図であり、図６０（ｂ）は、下皿７１から上皿１５１へ遊技球を移動させる動作を説明するための正面図である。
【０２９２】
実施例４の遊技機１は、下皿７１の外側領域７１ｂが形成される位置及び上皿１５１の形状が前述の実施例１乃至３とは異なっているので、この点を詳細に説明する。なお、前述の実施例１乃至３の遊技機１と同様の内容については同じ符号を付して説明を省略する。
【０２９３】
実施例４では、下皿７１の外側領域７１ｂは、上皿１５１を平面視した状態で、上皿１５１の周壁部１６２を下皿７１の周壁部７３よりも内側に位置するように凹状に形成することによって、形成されている。具体的には、上皿１５１の前側周壁部１６２ａを下皿７１の前壁部７３ａよりも内側に位置するように凹状に形成している。なお、外側領域７１ｂは、図５９（ａ）において網掛け模様を付した領域に対応している。
【０２９４】
また、操作部３０は、上皿１５１の前側周壁部１６２ａの前面側のうち、奥側に凹んだ面に形成されている。具体的には、凹状に形成された前側周壁部１６２ａの前面側に、スタートレバー３３とストップスイッチ３５，３６，３７が設けられている。そのため、下皿７１の外側領域７１ｂは、上皿１５１を平面視した状態で、凹状に形成された前側周壁部１６２ａ及び各操作部材よりも外側に位置するように形成されている。
【０２９５】
ここで、上皿１５１の前側周壁部１６２ａ及び各操作部材よりも外側とは、前側周壁部１６２ａよりも前外側であって、且つ、前側周壁部１６２ａの前面側に配設される各操作部材のうち、最も左外側に位置する操作部材であるスタートレバー３３の左外側及び最も右外側に位置する操作部材であるストップスイッチ３７の右外側を意味する。なお、外側領域７１ｂの奥行長さがスタートレバー３３の長さよりも長い場合には、各操作部材よりも外側は、スタートレバー３３の先端部よりも前外側であればよい。
【０２９６】
なお、奥側に凹んだ面に形成される操作部材は、これに限定されず、ストップスイッチ３５，３６，３７だけでも構わないし、ベットスイッチ３８も含めて設けても構わない。
【０２９７】
＜下皿７１から上皿１５１へ遊技球を移動させる動作＞
図６０（ｂ）に示す経路Ｒを参照する。遊技者は、下皿７１の外側領域７１ｂに貯留された遊技球を左手で掴む。そして、外側領域７１ｂから上向きに上皿１５１の前側周壁部１６２ａの前側へ向けて遊技球を掴んだ左手を動かす。続けて、当該左手を前側周壁部１６２ａの内側に位置する貯留領域１５１ａに動かして、当該左手で掴んだ遊技球を投入する。このとき、下皿７１の外側領域７１ｂは、上皿１５１を平面視した状態で、前側周壁部１６２ａよりも前側で、且つ、スタートレバー３３よりも左側に形成されているので、外側領域７１ｂから上向きに左手を動かしても、当該左手と干渉する操作部材は存在しない。また、スタートレバー３３を操作する遊技者の右手が動く領域と当該左手が動く領域とは互いに離れるので、当該右手と左手との衝突も生じにくい。
【０２９８】
上述したように、実施例４の遊技機１によれば、下皿７１の外側領域７１ｂは、上皿１５１を平面視した状態で、上皿１５１の周壁部１６２を下皿７１の周壁部７３よりも内側に位置するように凹状に形成することによって、形成されている。つまり、下皿７１の外側領域７１ｂは、上皿１５１を平面視した状態で、上皿１５１の周壁部１６２を下皿７１の周壁部７３よりも内側に凹ませた位置に設けられているので、下皿７１の外側領域７１ｂが当該外側領域７１ｂ以外の他の貯留領域７１ａを構成する周壁部７３よりも外側に凸状に形成されることなく、下皿７１の外側領域７１ｂを形成することができる。よって、下皿７１の外側領域７１ｂを構成する周壁部７３が外側へ突出する量が低減される分だけ、下皿７１と遊技者との間の間隔が狭くなることを低減できる。また、デザイン的にも違和感の生じにくい形で、下皿７１の外側領域７１ｂを形成することができる。
【実施例５】
【０２９９】
次に、実施例５の遊技機１について、図６１から図６４までを用いて説明する。
【０３００】
図６１は、実施例５の遊技機１の全体を示す斜視図であり、図６２は、実施例５の遊技機１の正面図である。図６３（ａ）は、上皿１５１と下皿７１とを説明するための平面図であり、図６３（ｂ）は、遊技機１の下部分を示す正面図である。図６４（ａ）は、下皿７１の貯留領域７１ａに遊技球が貯留されている状態を示す平面図であり、図６４（ｂ）は、下皿７１から上皿１５１へ遊技球を移動させる動作を説明するための正面図である。なお、図６４（ａ）では、遊技球の図示を省略しているが、図６４（ｂ）と同様に下皿７１の貯留領域７１ａに遊技球が貯留されているものとする。
【０３０１】
実施例１乃至４の遊技機１では、外側領域７１ｂは下皿７１の貯留領域７１ａに形成されてきたが、実施例５の遊技機１では、貯留領域７１ａ以外の領域に形成されている点が上述の実施例１乃至４と異なっている。以下、この点を詳細に説明する。なお、前述の実施例１乃至４の遊技機１と同様の内容については同じ符号を付して説明を省略する。
【０３０２】
実施例５では、下皿７１は、上皿１５１を平面視した状態で、上皿１５１の周壁部１６２よりも外側に位置する外側領域７１ｂを有する。具体的には、下皿７１の外側領域７１ｂは、下皿７１の周壁部７３の一部が、上皿１５１を平面視した状態で、上皿１５１の周壁部１６２よりも外側に位置するように延出されている。例えば、実施例５では、下皿７１の左壁部７３ｂと前壁部７３ａとが上皿１５１の左側周壁部１６２ｂよりも左外側に延出されている。下皿７１の左壁部７３ｂの内側面と前壁部７３ａの内側面の一部とが外側領域７１ｂを構成している。外側領域７１ｂは、遊技者の手の出し入れし易い形状、又は、外側領域７１ｂを転がる遊技球が下皿７１から落下しにくい形状となるように形成されている。例えば、外側領域７１ｂは、樋状等に形成することが可能である。また、左壁部７３ｂの内側面を平坦面となるように形成し、前壁部７３ａの内側面を該平坦面から起立するように形成することも可能である。外側領域７１ｂを構成する左壁部７３ｂ及び前壁部７３ａの内側面は、貯留領域１５１ａを構成していないため、球が貯留されていない。なお、実施例５の外側領域７１ｂを、実施例１乃至４の外側領域７１ｂと区別して適宜、延出部７１ｂと呼ぶ。また、延出部７１ｂ（外側領域７１ｂ）は、図６３（ａ）及び図６４（ａ）において網掛け模様を付した領域に対応している。
【０３０３】
延出部７１ｂは、下皿７１の貯留領域７１ａ内に入れられた遊技者の左手を上皿１５１の周壁部１６２よりも外側に案内するように作用する。つまり、延出部７１ｂは、当該延出部７１ｂに延出面に沿って当該左手を移動させていくと、当該左手が上皿１５１の左側周壁部１６２ｂよりも左外側に案内されるように構成されている。
【０３０４】
操作部３０との関係でいうと、延出部７１ｂは、上皿１５１の前側周壁部１６２ａの前面側に設けられる操作部３０のうち最も左側に位置するスタートレバー３３よりもさらに左外側に延出するように形成されている。
【０３０５】
膨出部７０との関係で言うと、膨出部７０の右側と左側とを比較すると、延出部７１ｂが形成される領域に設けられる左側の膨出部７０は、右側の膨出部７０と比べて、大きさが小さく、幅が細く、厚みが薄くなるように形成されている。これにより、遊技者が延出部７１ｂに沿って左手を動かした結果、当該左手が延出部７１ｂの左外側に飛び出す場合であっても、その飛び出した左手が左側の膨出部７０に衝突しないように作用する。
【０３０６】
＜下皿７１から上皿１５１へ遊技球を移動させる動作＞
図６４（ｂ）に示す経路Ｒを参照する。遊技者は、下皿７１の貯留領域７１ａに貯留された遊技球を左手で掴み、当該左手を下皿７１の左壁部７３ｂに形成されている延出部７１ｂに沿って左外側に動かす。延出部７１ｂに沿って動かされた当該左手は、上皿１５１を平面視した状態で、上皿１５１の周壁部１６２よりも左外側に至る。このとき、延出部７１ｂの上側には、上向きに動かされた当該左手と衝突する部材は存在せず、スタートレバー３３等の操作部材を操作する遊技者の右手とも衝突し難い。
【０３０７】
上述したように、実施例５の遊技機１によれば、下皿７１は、上皿１５１を平面視した状態で、上皿１５１の周壁部１６２よりも外側に位置する外側領域７１ｂ（延出部７１ｂ）を有する。この下皿７１の外側領域７１ｂは、下皿７１の周壁部７３の一部が、上皿１５１を平面視した状態で、上皿１５１の周壁部１６２よりも外側に位置するように延出させて形成されている。とくに実施例５では、下皿７１の左壁部７３ｂの内側面が外側領域７１ｂを構成している。したがって、上皿１５１の貯留領域１５１ａよりも内側に位置している下皿７１の貯留領域７１ａから遊技者が左手で遊技球を掴んだ場合であっても、下皿７１の貯留領域７１ａから上皿１５１の周壁部１６２よりも外側に位置する外側領域７１ｂに当該左手を円滑に案内することが可能であり、下皿７１の外側領域７１ｂから上皿１５１の貯留領域１５１ａまで遊技球を掴んだ左手を円滑に動かすことが可能である。
【実施例６】
【０３０８】
次に、実施例６の遊技機１００について、図６５から図７０までを用いて説明する。
【０３０９】
図６５は、実施例６の遊技機１００の正面図であり、図６６（ａ）は、上皿１５１と下皿７１を説明するための平面図であり、図６６（ｂ）は、遊技機１００の下部分を示す正面図である。図６７（ａ）乃至（ｄ）は、下皿７１の正面図、平面図、右側面図、背面図であり、図６８（ａ）及び（ｂ）は、図６７（ｃ）及び（ｄ）に示される下皿７１を拡大した図である。図６９は、スライド移動機構９０３の概略を説明するための平面図である。図７０（ａ）は、図６９に示すスライド移動機構９０３のＡ−Ａ線断面図であり、図７０（ｂ）は、図６９に示すスライド移動機構９０３のＢ−Ｂ線断面図である。なお、図７０（ａ）及び（ｂ）では、Ａ−Ａ線断面及びＢ−Ｂ線断面のうち、スライド移動機構９０３及びこれに付属する部材のみを断面で示すとともに、スライド移動機構９０３の一部を拡大して示すものである。
【０３１０】
実施例６の遊技機１００は、上皿１５１および下皿７１を相対的に水平移動させる移動機構９０１を備える点が前述の実施例１乃至５の遊技機１とは異なっているので、移動機構９０１について詳細に説明する。なお、前述の実施例１乃至５の遊技機１と同様の内容については説明を省略する。
【０３１１】
実施例６の遊技機１００は、移動機構９０１が上皿１５１および下皿７１を相対的に水平移動させることによって、上皿１５１を平面視した状態で、下皿７１の貯留領域７１ａが上皿１５１の周壁部１６２よりも外側に位置する外側領域７１ｂを形成するものである。そのため、上皿１５１および下皿７１が水平移動する方向に応じた位置に下皿７１の外側領域７１ｂが形成される。図６６（ｂ）において、外側領域７１ｂが左側に形成されているが、同図に二転鎖線で示すように下皿７１を右側にスライド移動させて、右側に外側領域７１ｂを形成することも可能である。また、移動機構９０１によるスライド移動が行われなければ、図６５に示すように、下皿７１の外側領域７１ｂを形成しないことも可能である。
【０３１２】
移動機構９０１は、例えば、下皿７１を水平にスライド移動させるスライド移動機構９０３である。スライド移動機構９０３が下皿７１を水平にスライド移動させた距離Ｌに応じて、上皿１５１を平面視した状態で、下皿７１の貯留領域７１ａが上皿１５１の周壁部１６２よりも外側に位置する外側領域７１ｂが形成される。
【０３１３】
スライド移動機構９０３は、例えば、手操作で力を加えることによって下皿７１をスライド移動させるスライドユニット９０５とレール９０７である。スライドユニット９０５とレール９０７によって、下皿７１が手操作でスライド移動されるだけで、下皿７１の外側領域７１ｂが形成される。以下、スライド移動機構９０３の詳細な構成について説明する。
【０３１４】
＜下皿７１＞
実施例６の下皿７１は、下皿７１がスライド移動する構成であるため、下皿当接板７３ｅの前面側に下皿７１の奥壁部７３ｄが設けられている。この点、下皿７１の奥面を下皿当接板７３ｅで構成している実施例１乃至５とは異なる。
【０３１５】
下皿７１の奥壁部７３ｄには、その奥壁部７３ｄの下側中央から左右に広がるように下皿排出口７４が開けられている。実施例６の下皿排出口７４は、下皿７１がスライド移動する構成であるため、実施例１乃至５の下皿排出口７４よりも幅広に形成されている。
【０３１６】
＜スライドユニット９０５＞
下皿７１の奥壁部７３ｄには、その裏面側にスライドユニット９０５が設けられている。スライドユニット９０５は、図６８（ａ）に示すように、下皿当接板７３ｅに固定されるレール９０７を上下から挟み込むように形成されている。また、スライドユニット９０５は、図７０（ａ）及び（ｂ）に示すように、レール９０７を挟み込んだ状態で、レール９０７に沿って水平にスライド移動可能に構成されている。
【０３１７】
また、スライドユニット９０５は、その中央部に下皿７１の奥壁部７３ｄ側へ向けて窪んだ窪み部９０６を有する。スライドユニット９０５の窪み部９０６は、レール９０７に設けられたストッパー９０８ａ，９０８ｂ，９０８ｃ（以下、総称するときはストッパー９０８という。）とともに制動機構を構成する。すなわち、窪み部９０６は、ストッパー９０８のいずれかが挿入されることによって、スライド移動されるスライドユニット９０５をレール９０７に設けられたストッパー９０８の位置で一時的に固定する。
【０３１８】
＜レール９０７＞
レール９０７は、下皿当接板７３ｅの前面側であってスライドユニット９０５に対向する位置に固定され、スライドユニット９０５に沿って平行に左右に延出されている。レール９０７は、スライドユニット９０５に挟み込まれるように形成されている。
【０３１９】
レール９０７は、スライドユニット９０５に挟み込まれた状態でスライドユニット９０５の後面に対向する面に、下皿当接板７３ｅ側へ向けて凹状に窪んだ収容部９２１ａ，９２１ｂ，９２１ｃ（以下、総称するときは収容部９２１という）が形成されている。収容部９２１は、レール９０７の左、中央、右の３か所に形成されている。なお、収容部９２１の形成箇所は、左、中央、右の３か所に限らず、左、中央の２か所、左、右の２か所、あるいは、４か所以上設けても構わない。
【０３２０】
収容部９２１ａ，９２１ｂ，９２１ｃには、それぞれストッパー９０８ａ，９０８ｂ，９０８ｃが収容されている。このストッパー９０８のいずれか１つがスライドユニット９０５に設けられた窪み部９０６に嵌り込むことによって、そのストッパー９０８が設けられたレール９０７上の位置で、スライドユニット９０５のスライド移動が停止される。
【０３２１】
＜下皿７１のスライド移動及び停止＞
図６９及び図７０を参照する。下皿７１が遊技機１００の中央に位置するとき、ストッパー９０８ａ，９０８ｃは、制動機能を発揮していない。具体的には、図７０（ａ）に示すように、ストッパー９０８ｃ（９０８ａも同様）は、収容部９２１内でコイルバネ９２２によってスライドユニット９０５側に付勢されているが、スライドユニット９０５の後ろ面側で窪み部９０６が設けられていない面によって抑え込まれ、収容部９２１内に留められている。そのため、ストッパー９０８ａ，９０８ｃは、制動機能を発揮できない。
【０３２２】
他方、ストッパー９０８ｂは、制動機能を発揮している。具体的には、図７０（ｂ）に示すように、ストッパー９０８ｂは、収容部９２１内でコイルバネ９２２によってスライドユニット９０５側に付勢され、収容部９２１から窪み部９０６側に突出して、窪み部９０６に嵌り込んでいる。そのため、ストッパー９０８ｂとスライドユニット９０５とが干渉するので、スライドユニット９０５のスライド移動が制限される。
【０３２３】
図６９に示す状態から、スライドユニット９０５をさらに手操作で左側にスライドさせると、ストッパー９０８ｂはコイルバネ９２２の弾性力に抗して押し戻され、図７０（ａ）に示すように制動機能を発揮しない状態となる。他方、ストッパー９０８ａは、図７０（ｂ）に示すように、窪み部９０６に嵌り込むことによって制動機能を発揮する状態となる。これにより、外側領域７１ｂが下皿７１の左壁部７３ｂ側に形成された状態で、スライド移動が停止する。なお、図６９に示す状態から、スライドユニット９０５を手操作で右側にスライドさせる場合は、ストッパー９０８ｃが窪み部９０６に嵌り込むことによって制動機能が発揮されて、外側領域７１ｂが下皿７１の右壁部７３ｃ側に形成された状態で、スライド移動が停止する。
【０３２４】
＜下皿排出口７４と通路部材９０９との関係＞
レール９０７の下方には、通路部材９０９が設けられている。通路部材９０９は、上皿１５１で余剰となった遊技球を下皿７１へ排出するための通路の一部である。通路部材９０９は、下皿当接板７３ｅ側から下皿７１の奥壁部７３ｄに形成される下皿排出口７４へ向けて延出されている。通路部材９０９は、スライドユニット９０５がレール９０７に接続されたときに、下皿排出口７４の周縁部に当接するような長さに形成されている。なお、通路部材９０９は、図１０に示す下皿排出口７４に連通する連通口１３１を形成する部材に相当する。
【０３２５】
通路部材９０９の開口幅は、下皿排出口７４の開口幅よりも狭く形成されている。具体的には、通路部材９０９の開口幅と下皿排出口７４の開口幅とは、スライドユニット９０５がレール９０７に沿って水平にスライド移動したときに、通路部材９０９の開口周縁部が下皿排出口７４の開口周縁部に干渉しないような幅に形成されている。
【０３２６】
なお、上述した移動機構９０１は、この発明の移動手段に相当し、上述したスライド移動機構９０３は、この発明のスライド移動手段に相当する。
【０３２７】
上述したように、実施例６の遊技機１００によれば、下皿７１の貯留領域７１ａは、上皿１５１を平面視した状態で、上皿１５１の周壁部１６２よりも外側に位置する外側領域７１ｂを有するので、遊技者が下皿７１に貯留された遊技球を手で掴み、当該手を上皿１５１の貯留領域１５１ａに移動させる際に、下皿７１の貯留領域７１ａに貯留されている遊技球を下皿７１の外側領域７１ｂから取り出し易くなる。また、下皿７１の外側領域７１ｂが上皿１５１の周壁部１６２よりも外側に離れている分だけ、遊技者の手が上皿１５１の周壁部１６２と接触し難くなる。したがって、下皿７１の外側領域７１ｂから上皿１５１の貯留領域１５１ａへ円滑に遊技球を移動させることができる。
また、移動機構９０１が下皿７１を水平移動することによって、上皿１５１を平面視した状態で、下皿７１の貯留領域７１ａが上皿１５１の周壁部１６２よりも外側に位置する外側領域７１ｂが形成されるので、上皿１５１および下皿７１が水平移動する方向に応じた位置に下皿７１の外側領域７１ｂを形成することができる。また、移動機構９０１が使用されない場合には、下皿７１において外側領域７１ｂを形成しないこともできる。具体的には、遊技者は、下皿７１を例えば左側または右側に任意に移動させることができるので、左利きの遊技者に対しても右利きの遊技者に対しても、下皿７１から上皿１５１へ遊技球を移動させる際に使いやすい手の側に任意に下皿７１の外側領域７１ｂを形成することができる。その結果、遊技者の利き手が左右どちらであっても、任意に下皿７１を移動させることによって、下皿７１から上皿１５１へ遊技球を移動させやすい方の手で遊技球を移動させることができる。
【０３２８】
また、スライド移動機構９０３が下皿７１を水平にスライド移動することによって、下皿７１を水平にスライド移動した分だけ、下皿７１の外側領域７１ｂを形成することができる。
【０３２９】
また、スライド移動機構９０３を構成するスライドユニット９０５に手操作で力を加えることによって、下皿７１がスライド移動されるので、手操作で下皿７１をスライド移動させるだけで、下皿７１の外側領域７１ｂを形成することができる。
【０３３０】
この発明は、上記実施形態に限られることはなく、下記のように変形実施することができる。
【０３３１】
（１）上述した実施例１では、下皿７１の外側領域７１ｂは、上皿１５１を平面視した状態で、上皿１５１の左側周壁部１６２ｂよりも左外側に位置するように形成されていたが、これに限定されず、上皿１５１の右側周壁部１６２ｄよりも右外側に位置するように形成されていてもよい。この場合、下皿７１の外側領域７１ｂは、上皿１５１を平面視した状態で、上皿１５１の右側周壁部１６２ｄよりも右外側に位置するので、下皿７１の外側領域７１ｂが遊技者の右手側に位置することになる。したがって、右手で下皿７１から遊技球を取り出し易くなり、取り出した遊技球を運ぶ際に右手が上皿１５１の周壁部１６２に接触し難くなる。また、遊技球を掴んだ右手が操作部３０に誤って接触することによって生じる誤操作の恐れが低減する。下皿７１の外側領域７１ｂから上皿１５１の貯留領域１５１ａへ円滑に遊技球を移動させることができる。
【０３３２】
また、上述した実施例１では、遊技機本体部３を正面視した状態で、上皿１５１の中心に対して下皿７１の中心が左側に偏心するように形成されていたが、遊技機本体部３を正面視した状態で、上皿１５１の中心に対して下皿７１の中心が右側に偏心するように形成されていてもよい。また、遊技機本体部３の中心に対して上皿１５１の中心が右側に偏心するように形成されてもよいし、遊技機本体部３の中心に対して上皿１５１の中心が左側に偏心するように形成されていてもよい。また、遊技機本体部３の中心に対して、下皿７１の中心が左側に偏心されるとともに、上皿１５１の中心が右側に偏心されるように構成してもよし、その逆でもよい。また、遊技機本体部３の中心に対して、上皿１５１の中心と下皿７１の中心とが左右いずれか同じ側に偏心しているが、下皿７１の中心の方が上皿１５１の中心よりも外側に偏心しているものでもよい。また、これらの場合には、上皿１５１を平面視した状態で、下皿７１の貯留領域７１ａが上皿１５１の下側に隠れるような状態で配置されるものであってもよい。上皿１５１の貯留領域１５１ａと下皿７１の貯留領域７１ａとがある程度左右にずれて配置されることによって、上述と同様の効果が期待できるからである。なお、遊技機本体部３の中心は、図４７（ｂ）に示す下皿７１の中心線Ｃ２と同じ中心線で示される。
【０３３３】
（２）上述した実施例３では、下皿７１の外側領域７１ｂは、上皿１５１を平面視した状態で、上皿１５１の左側周壁部１６２ｂよりも左外側に位置するとともに、上皿１５１の前側周壁部１６２ａよりも前外側に位置するように形成されていたが、これに限定されず、上皿１５１の右側周壁部１６２ｄよりも右外側に位置するとともに、上皿１５１の前側周壁部１６２ａよりも前外側に位置するように形成されていてもよい。この場合、下皿７１の外側領域７１ｂは、上皿１５１を平面視した状態で、上皿１５１の右側周壁部１６２ｄよりも右外側に位置するとともに、上皿１５１の前側周壁部１６２ａよりも前外側に位置するので、下皿７１の外側領域７１ｂは、遊技者の右手側だけでなく正面側にも位置する。言い換えると、下皿７１の外側領域７１ｂは、遊技者の右手側に拡張された領域と、遊技者の正面側に拡張された領域とによって形成される。これにより、下皿７１は、遊技者の右手側のみへの拡張を抑えながら、下皿７１の外側領域７１ｂを拡張できる。
【０３３４】
（３）上述した実施例１乃至５では、下皿７１には、外側領域７１ｂがそれぞれ１つずつ設けられていたが、２つ以上の外側領域７１ｂが形成されても構わない。例えば、実施例１の場合、下皿７１の左壁部７３ｂ側だけでなく右壁部７３ｃ側にも外側領域７１ｂを形成してもよい。
【０３３５】
（４）上述した実施例３では、下皿７１の外側領域７１ｂは、上皿１５１の左側周壁部１６２ｂよりも左外側に位置するとともに上皿１５１の前側周壁部１６２ａよりも前外側に位置するように形成されていたが、上皿１５１の左側周壁部１６２ｂの左外側と前側周壁部１６２ａの前外側と右側周壁部１６２ｄの右外側とに位置するように形成されていても構わない。この場合、外側領域７１ｂは、上皿１５１を平面視した状態で、上皿１５１の周壁部１６２全体よりも外側に形成される。
【０３３６】
（５）上述した実施例１乃至６における下皿７１の外側領域７１ｂの形状や大きさは、一例であって、他の形状や大きさに変更することも可能である。
【０３３７】
（６）上述した実施例１では、下皿７１の底板部７３ｆに設けられる開口は、外側領域７１ｂ側に設けられていたが、それ以外の場所、例えば、下皿７１の底板部７３ｆの中心位置に設けられてもよい。この場合、下皿７１の底板部７３ｆを構成する下り傾斜面７１ｃは、底板部７３ｆの中心に位置する開口に向けて下り傾斜し、下皿７１の底板部７３ｆを構成する上り傾斜面７１ｄは、底板部７３ｆの中心に位置する開口から外側領域７１ｂ側へ向けて上り傾斜することになる。
【０３３８】
（７）上述した実施例１では、下皿７１の外側領域７１ｂの左側の端部が上皿１５１の側方にまで至るように形成されている例として、左壁部７３ｂの壁面が上皿１５１の側方に至るまで延出されている場合を挙げて説明したが、これに限らず、２以上の部材が継ぎ合わされることによって延出されている場合であってもよい。すなわち、左壁部７３ｂの壁面が上皿１５１の側方に至る途中までしか形成されていないが、その左壁部７３ｂの壁面に連続するように形成された別の部材の壁面が上皿１５１の側方に至るまで延出されている場合も含まれる。つまり、二つ以上の壁面を構成する部材が連続することによって、下皿７１の外側領域７１ｂの左側の端部から上皿１５１の側方にまで至る領域が形成されてもよい。  
【０３３９】
（８）上述した実施例１において、貸球操作部５２と度数表示部５８とは、上皿１５１のカバー部材１７５の上面に設けられていたが、貸球操作部５２と度数表示部５８とを他の位置に設けることも可能である。例えば、サブパネル部５０の左側に配設しても構わない。また、外側領域７１ｂを構成する下皿７１の周壁部７３の縁部に配設しても構わない。サブパネル部５０の左側に配設されることによって、下皿７１から上皿１５１へ遊技球を移動させる操作と球貸し操作や度数表示の確認とを同じ側（遊技機１の左側）で行うことができ、これらの操作の操作性が向上する。また、貸球操作部５２が外側領域７１ｂを構成する下皿７１の周壁部７３の縁部に設けられる場合には、下皿７１から上皿１５１へ遊技球を移動させる操作と球貸し操作とが外側領域７１ｂ側で行われるので、さらに操作性を向上させることができる。
【０３４０】
（９）上述した実施例６では、スライド移動機構９０３は、下皿７１をスライド移動させるものであったが、上皿１５１をスライド移動させるものや、上皿１５１と下皿７１とを互い違いにスライド移動させるものであってもよい。この場合、スライド移動機構９０３は、実施例６のものと同様に、スライドユニット９０５とレール９０７とによって構成される。
【０３４１】
（１０）上述した実施例６において、下皿７１は、手操作で力を加えることによってスライド移動させていたが、電力を加えることによって、下皿７１をスライド移動させる駆動部を備えてもよい。駆動部に電力を加えることによって、上皿１５１および下皿７１がスライド移動されるので、上皿１５１および下皿７１をスライド移動させる労力が低減される。
【０３４２】
駆動部としては、例えば、ボールネジ、ボールナット、モーターを備える構成が考えられる。具体的には、下皿当接板７３ｅに固定される一対のレール９０７の間にボールネジを配設し、ボールネジの一端をモーターの出力軸に接続して、その場回転が可能となるように固定する。下皿７１の底板部７３ｆに固定される一対のスライドユニット９０５の間にボールネジに螺合するボールナットを有するボールナット部材を固定する。これにより、モーターとボールネジとの回転に合わせてボールナットに固定された下皿７１がスライド移動するように構成される。
【０３４３】
また、モーターにロータリーエンコーダなどの回転位置検出手段を取り付けることにより、駆動部を備える構成においても、ストッパー９０８ａ，９０８ｂ，９０８ｃに相当する位置において下皿７１のスライド移動を停止させることも可能である。なお、上述した駆動部は、この発明の駆動手段に相当する。
【０３４４】
（１１）上述した実施例６において、下皿７１の全体が水平にスライド移動可能に形成されていたが、下皿７１は、その一部が水平にスライド移動可能に形成され、下皿７１のスライド可能な一部を所定範囲内でスライド移動させる分離移動機構であってもよい。下皿７１の一部は水平にスライド移動可能に形成され、分離移動機構がこの下皿７１のスライド可能な一部を所定範囲内でスライド移動するので、下皿７１の外側領域７１ｂを形成するにあたって下皿７１の一部をスライド移動させるだけで済む。分離移動機構は、例えば、外側領域７１ｂを含む下皿７１の一部を下皿７１の本体から引き出し状に引き出すことができる構成であればよい。なお、上述した分離移動機構は、この発明の分離移動手段に相当する。
【０３４５】
（１２）上述した実施例６において、下皿７１は、手操作で力を加えることによってスライド移動させていたが、下皿７１を遊技機本体部３の所定の取付位置から取り外すとともに、下皿７１を前記所定の取付位置とは異なる所定の取付位置に取り付けることによって、移動可能とする取り外し移動機構であってもよい。取り外し移動機構は、下皿７１を遊技機本体部３の所定の取付位置から取り外すとともに、下皿７１を所定の取付位置とは異なる所定の取付位置に取り付けることによって、下皿７１を移動可能とするので、遊技機本体部３に下皿７１が着脱される取付位置を複数設けるだけで下皿７１の外側領域７１ｂを形成することができる。なお、上述した取り外し移動機構は、この発明の取り外し移動手段に相当する。
【０３４６】
（１３）上述した実施例６において、上皿１５１を平面視した状態で、下皿７１の外側領域７１ｂが上皿１５１の左側周壁部１６２ｂよりも左外側に位置するように形成される状態と、下皿７１の外側領域７１ｂが上皿１５１の右側周壁部１６２ｄよりも右外側に位置するように形成される状態とを選択可能とする選択部を備えてもよい。選択部は、例えば、上述した（１０）の構成において、モーターを正方向に回転駆動させるか逆方向に回転駆動させるかを選択するためのスイッチである。これにより、下皿７１を左側に動かすかまたは右側に動かすかを選択可能となるので、左利きの遊技者に対しても右利きの遊技者に対しても、操作部３０を操作する手と反対側の手の側に下皿７１の外側領域７１ｂを形成することができる。なお、上述した選択部は、この発明の選択手段に相当する。
【０３４７】
（１４）上述した実施例６において、スライド移動機構９０３に窪み部９０６とストッパー９０８からなる制動機構が備えられていたが、制動機構の構成はこれに限定されない。
【０３４８】
（１５）上述した実施例１乃至６において、上皿１５１の前面側にスタートレバー３３やストップスイッチ３５，３６，３７やベットスイッチ３８のような操作部３０が設けられている遊技機１，１００（遊技球使用回胴遊技機）について説明したが、上皿１５１の前面側にこれらの操作部材が設けられていない遊技機であっても構わない。すなわち、図７１に示すように、上皿１００１と下皿１００３を備えるパチンコ機１０００にも、この発明を適用することができる。なお、図７１は、変形例に係るパチンコ機１０００の正面図である。
【０３４９】
パチンコ機１０００の基本構成としては、操作ハンドル１００７を備え、その操作ハンドル１００７の操作に応じて遊技用媒体としての遊技球を所定の遊技領域に発射し、遊技球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【０３５０】
上述した所定の遊技領域に発射される遊技球は、上皿１００１に一旦貯留され、その後、遊技球発射装置に供給される。パチンコ機１０００の上皿１００１も、島設備の球貸し装置から貸し出された遊技球や、払出装置より払い出された遊技球を一旦貯留するための皿部材を構成する点で、実施例１乃至６の上皿１５１と共通している。
【０３５１】
また、上述した有価価値として付与される遊技球は、上皿１００１に排出される遊技球である。また、上皿１００１やその上流通路に遊技球が満タンに貯留されている状態であって更に払出装置から遊技球が払い出される場合、或いは、上皿１００１内に貯留されている遊技球に対して球抜き操作が行われる場合には、下皿排出口１００５を介して下皿１００３に遊技球が排出される。
【０３５２】
パチンコ機１０００の場合、下皿１００３の貯留領域は、例えば、上皿１００１を平面視した状態で、上皿１００１の周壁部１００２の前面側よりも前外側に位置する外側領域１００３ａを有する。パチンコ機１０００は、操作ハンドル１００７が、上皿１００１の周壁部１００２の右下側すなわち下皿１００３の周壁部１００４の右側に設けられている。つまり、パチンコ機１０００は、遊技の価値に作用する操作部材（単なる演出用のボタンを除く）としての操作ハンドル１００７が上皿１００１の前面側に設けられていない。そのため、下皿１００３の外側領域１００３ａで遊技球を掴んだ左手を上向きに上皿１００１の周壁部１００２の前面側まで動かしても、当該左手と操作ハンドル１００７を操作する右手とが干渉せず、また当該左手と上皿１００１の周壁部１００２などの他の部材とも干渉しない。よって、当該左手で掴んだ遊技球を上皿１００１の貯留領域に円滑に移動させることができる。
【０３５３】
なお、パチンコ機１０００においても、操作ハンドル１００７と干渉しない範囲で、実施例１乃至６と同様に、外側領域１００３ａを形成することが可能である。
【産業上の利用可能性】
【０３５４】
以上のように、この発明は、遊技球使用回胴遊技機またはパチンコ機に適している。
【符号の説明】
【０３５５】
１  …  遊技機（遊技機）
３  …  遊技機本体部（遊技機本体）
３０  …  操作部（操作部）
３３  …  スタートレバー（始動操作手段）
３５，３６，３７  …  ストップスイッチ（停止操作手段）
３８  …  ベットスイッチ（賭け数指示操作手段）
７１  …  下皿（下側貯留部）
７１ａ  …  貯留領域（貯留領域）
７１ｂ  …  外側領域（外側領域）
７１ｃ  …  下り傾斜面（下り傾斜面）
７１ｄ  …  上り傾斜面（上り傾斜面）
７１ｅ  …    凹面（凹面）
７４  …  下皿排出口（流入口）
１００  …  遊技機（遊技機）
１５１  …  上皿（上側貯留部）
１５１ａ  …  貯留領域（貯留領域）
１６２ａ  …  前側周壁部（前側周壁部）
１６２ｂ  …  左側周壁部（左側周壁部）
１６２ｄ  …  右側周壁部（右側周壁部）
９０１  …  移動機構（移動手段）
９０３  …  スライド移動機構（スライド移動手段）
１０００  …  パチンコ機（遊技機）
【図１】
2014121464.tif 000003
【図２】
2014121464.tif 000004
【図３】
2014121464.tif 000005
【図４】
2014121464.tif 000006
【図５】
2014121464.tif 000007
【図６】
2014121464.tif 000008
【図７】
2014121464.tif 000009
【図８】
2014121464.tif 000010
【図９】
2014121464.tif 000011
【図１０】
2014121464.tif 000012
【図１１】
2014121464.tif 000013
【図１２】
2014121464.tif 000014
【図１３】
2014121464.tif 000015
【図１４】
2014121464.tif 000016
【図１５】
2014121464.tif 000017
【図１６】
2014121464.tif 000018
【図１７】
2014121464.tif 000019
【図１８】
2014121464.tif 000020
【図１９】
2014121464.tif 000021
【図２０】
2014121464.tif 000022
【図２１】
2014121464.tif 000023
【図２２】
2014121464.tif 000024
【図２３】
2014121464.tif 000025
【図２４】
2014121464.tif 000026
【図２５】
2014121464.tif 000027
【図２６】
2014121464.tif 000028
【図２７】
2014121464.tif 000029
【図２８】
2014121464.tif 000030
【図２９】
2014121464.tif 000031
【図３０】
2014121464.tif 000032
【図３１】
2014121464.tif 000033
【図３２】
2014121464.tif 000034
【図３３】
2014121464.tif 000035
【図３４】
2014121464.tif 000036
【図３５】
2014121464.tif 000037
【図３６】
2014121464.tif 000038
【図３７】
2014121464.tif 000039
【図３８】
2014121464.tif 000040
【図３９】
2014121464.tif 000041
【図４０】
2014121464.tif 000042
【図４１】
2014121464.tif 000043
【図４２】
2014121464.tif 000044
【図４３】
2014121464.tif 000045
【図４４】
2014121464.tif 000046
【図４５】
2014121464.tif 000047
【図４６】
2014121464.tif 000048
【図４７】
2014121464.tif 000049
【図４８】
2014121464.tif 000050
【図４９】
2014121464.tif 000051
【図５０】
2014121464.tif 000052
【図５１】
2014121464.tif 000053
【図５２】
2014121464.tif 000054
【図５３】
2014121464.tif 000055
【図５４】
2014121464.tif 000056
【図５５】
2014121464.tif 000057
【図５６】
2014121464.tif 000058
【図５７】
2014121464.tif 000059
【図５８】
2014121464.tif 000060
【図５９】
2014121464.tif 000061
【図６０】
2014121464.tif 000062
【図６１】
2014121464.tif 000063
【図６２】
2014121464.tif 000064
【図６３】
2014121464.tif 000065
【図６４】
2014121464.tif 000066
【図６５】
2014121464.tif 000067
【図６６】
2014121464.tif 000068
【図６７】
2014121464.tif 000069
【図６８】
2014121464.tif 000070
【図６９】
2014121464.tif 000071
【図７０】
2014121464.tif 000072
【図７１】
2014121464.tif 000073